(57)【特許請求の範囲】
【請求項１】
印刷する際に出力対象となる画像データの色情報または濃度情報を変更する画像処理方法であって、
前記出力対象となる画像データのうち、同一の色情報で塗り潰す最大画像領域を抽出する最大画像領域抽出工程と、
前記最大画像領域抽出工程で抽出した前記最大画像領域の色情報を、印刷時に着色せずに記録紙の地色として出力される色情報に変更する変更工程と、
を含むことを特徴とする画像処理方法。
【請求項２】
前記変更工程で変更した画像データを記録紙に印刷する印刷工程と、をさらに有していることを特徴とする請求項１に記載の画像処理方法。
【請求項３】
出力対象となる画像データのうち、同一の色情報で塗り潰す最大画像領域を抽出する最大画像領域抽出手段と、
前記最大画像領域抽出手段で抽出した前記最大画像領域の色情報を、印刷時に着色せずに記録紙の地色として出力される色情報に変更する変更手段と、
を備えたことを特徴とする画像処理装置。
【請求項４】
文字および画像を表示するための表示装置と、前記表示装置の前面にタッチパネル面を配設したタッチ入力装置と、画像データを記録紙に出力する印刷装置と、前記タッチ入力装置からの入力に基づいて前記表示装置の表示制御および前記印刷装置の印刷制御を行う制御装置と、を少なくとも備え、前記表示装置およびタッチ入力装置を用いて電子黒板の表示面および書き込み面を構成する電子黒板システムにおいて、
出力対象となる画像データのうち、同一の色情報で塗り潰す最大画像領域を抽出する最大画像領域抽出手段と、
前記最大画像領域抽出手段で抽出した前記最大画像領域の色情報を、印刷時に着色せずに記録紙の地色として出力される色情報に変更する変更手段と、を備え、
前記印刷装置は、
前記変更手段により最大画像領域の色情報が変更された前記画像データを記録紙に印刷する印刷手段を、備えたこと、
を特徴とする電子黒板システム。
【請求項５】
文字および画像を表示するための表示装置と、前記表示装置の前面にタッチパネル面を配設したタッチ入力装置と、画像データを記録紙に出力する印刷装置と、前記タッチ入力装置からの入力に基づいて前記表示装置の表示制御および前記印刷装置の印刷制御を行う制御装置と、を少なくとも備え、前記表示装置およびタッチ入力装置を用いて電子黒板の表示面および書き込み面を構成する電子黒板システムにおいて、
出力対象となる画像データの画像領域から、前記タッチ入力装置を介して入力した上書き画像に相当する画像データを除いた画像領域について、全体のコントラストを保ちながら濃度を低く変更する変更手段と、を備え、
前記印刷装置は、
前記変更手段により前記上書き画像に相当する画像データを除いた画像領域の濃度が低く変更された前記画像データを、記録紙に印刷する印刷手段を備えたこと、
を特徴とする電子黒板システム。
【発明の詳細な説明】
【０００１】
【発明の属する技術分野】
本発明は、印刷する際に出力対象となる画像データのうち、特定の画像データの色情報または濃度情報を変更する画像処理方法、画像処理装置および電子黒板システムに関する。
【０００２】
【従来の技術】
従来より、ホワイトボードや、書き込みシート等の書き込み面に筆記用具を用いて書き込んだ手書きの情報を、専用のスキャナで読み取り、専用のプリンタで記録紙に出力する電子黒板装置が知られており、この種の電子黒板装置は、所謂、コピーボードとして使用されている。
【０００３】
また、電子黒板の書き込み面にタッチパネルを配置して、書き込み面に手書きで書き込んだ情報をリアルタイムで入力する電子黒板システムも提供されている。例えば、マイクロフィールド  グラフィックス社製（Microfield Graphics,Inc.）のソフトボードは、書き込み面であるホワイトボード上に光学式タッチパネルを配設し、このホワイトボード上に書かれた文字や絵等のビジュアルデータを、接続されたパソコン（パーソナルコンピュータ）にリアルタイムで取り込めるタッチ入力装置である。このソフトボードを用いた電子黒板システムでは、ソフトボードで取り込んだビジュアルデータを、パソコンに入力してＣＲＴに表示したり、液晶プロジェクターを用いて大型のスクリーンに表示したり、あるいはプリンタで記録紙に出力することが可能である。また、ソフトボードが接続されたパソコンの画面を液晶プロジェクターでソフトボード上に投影し、専用のペンを使用してソフトボード上でパソコンの画面を操作することも可能である。
【０００４】
さらに、文字および画像を表示するための表示装置と、表示装置の前面にタッチパネル面を配設したタッチ入力装置と、タッチ入力装置からの入力に基づいて表示装置の表示制御を行う制御装置とを備え、表示装置およびタッチ入力装置を用いて電子黒板の表示面および書き込み面を構成した電子黒板システムも提供されている。例えば、スマート  テクノロジィズ社製（SMART Technologies Inc. ）のスマート２０００では、パソコンに接続された液晶プロジェクターを用いて文字・絵・図形・グラフィックの画像をパネルに投影し、該パネルの投影面（表示面）の前面に配設された感圧式タッチパネル（書き込み面）を用いて手書きの情報をパソコンに取り込み、パソコン内で手書きの情報と画像情報とを合成し、再度液晶プロジェクターを介してリアルタイムで表示できるようにしている。
【０００５】
前述したように、このような電子黒板システムでは、表示装置によって表示されている画面上の画像に対して、タッチ入力装置を用いて入力した画像を上書き画像として重ねて表示できるので、すでに会議、プレゼンテーション、教育等に広く利用されており、その使用効果が高く評価されている。
【０００６】
また、表示装置に表示する画像も、あらかじめパソコン等で作成した画像データを必要に応じて読み出して表示できるので、表示装置がカラー表示装置の場合には、色彩豊かに表現することができ、白黒表示装置の場合でも、グレースケル（階調）を考慮して豊かな表現を行うことができる。
【０００７】
【発明が解決しようとする課題】
しかしながら、上記従来の電子黒板システムによれは、色彩豊かな表現や、階調性を持たせた表現が容易に行えるようになったため、表示装置に表示されている画面を、電子黒板システムの基本的なコピーボード機能を用いて印刷装置で記録紙に出力する際に、画面上の画像データをそのまま出力すると、トナーやインク等の消費量が多くなるという問題点があった。
【０００８】
特に、表示装置がカラー表示装置の場合には、視覚効果を高めるために、背景画面は勿論のこと、画面上の閉領域（閉じたエリア）に対しても塗り潰しを行っているのが一般的であるため、このような画面をそのまま印刷すると、トナーやインク等の消費量が多く、必要なときにトナー切れ等が発生する虞があり、使い勝手が悪くなるという不都合があった。
【０００９】
一方、トナー、インク等の消費量を低減するために、単純に背景色のみを白色に設定して印刷する画像印刷方法が提供されているが、この場合、背景画面の領域の占める面積よりも他の画像領域の面積が大きいと、必ずしも効率的なトナー、インク等の消費量の低減を行えないという不具合があった。
【００１０】
本発明は上記に鑑みてなされたものであって、トナーやインク等の消費量の低減を効率的に行える画像処理方法、画像処理装置および電子黒板システムを提供することを目的とする。
【００１１】
【課題を解決するための手段】
上記の目的を達成するために、請求項１に係る画像処理方法は、印刷する際に出力対象となる画像データの色情報または濃度情報を変更する画像処理方法であって、前記出力対象となる画像データのうち、同一の色情報で塗り潰す最大画像領域を抽出する最大画像領域抽出工程と、前記最大画像領域抽出工程で抽出した前記最大画像領域の色情報を、印刷時に着色せずに記録紙の地色として出力される色情報に変更する変更工程と、を含むものである。
【００１５】
また、請求項２に係る画像処理方法は、請求項１に記載の画像処理方法について、前記変更工程で変更した画像データを記録紙に印刷する印刷工程と、をさらに有していることを特徴とする。
【００１６】
また、請求項３に係る画像処理装置は、出力対象となる画像データのうち、同一の色情報で塗り潰す最大画像領域を抽出する最大画像領域抽出手段と、前記最大画像領域抽出手段で抽出した前記最大画像領域の色情報を、印刷時に着色せずに記録紙の地色として出力される色情報に変更する変更手段と、を備えたものである。
【００２０】
また、請求項４に係る電子黒板システムは、文字および画像を表示するための表示装置と、前記表示装置の前面にタッチパネル面を配設したタッチ入力装置と、画像データを記録紙に出力する印刷装置と、前記タッチ入力装置からの入力に基づいて前記表示装置の表示制御および前記印刷装置の印刷制御を行う制御装置と、を少なくとも備え、前記表示装置およびタッチ入力装置を用いて電子黒板の表示面および書き込み面を構成する電子黒板システムにおいて、出力対象となる画像データのうち、同一の色情報で塗り潰す最大画像領域を抽出する最大画像領域抽出手段と、前記最大画像領域抽出手段で抽出した前記最大画像領域の色情報を、印刷時に着色せずに記録紙の地色として出力される色情報に変更する変更手段と、を備え、前記印刷装置は、前記変更手段により最大画像領域の色情報が変更された前記画像データを記録紙に印刷する印刷手段を、備えたものである。
【００２４】
また、請求項５に係る電子黒板システムは、文字および画像を表示するための表示装置と、前記表示装置の前面にタッチパネル面を配設したタッチ入力装置と、画像データを記録紙に出力する印刷装置と、前記タッチ入力装置からの入力に基づいて前記表示装置の表示制御および前記印刷装置の印刷制御を行う制御装置と、を少なくとも備え、前記表示装置およびタッチ入力装置を用いて電子黒板の表示面および書き込み面を構成する電子黒板システムにおいて、出力対象となる画像データの画像領域から、前記タッチ入力装置を介して入力した上書き画像に相当する画像領域を除いた画像領域について、全体のコントラストを保ちながら濃度を低く変更する変更手段と、を備え、前記印刷装置は、前記変更手段により前記文字情報を除いた画像領域の濃度が低く変更された前記画像データを記録紙に印刷する印刷手段を備えたものである。
【００２６】
【発明の実施の形態】
以下、本発明に係る画像処理方法、画像処理装置および電子黒板システムの実施の形態について、添付の図面を参照しつつ詳細に説明する。ここでは、本発明の実施の形態として画像処理方法を用い、画像処理装置を備えた電子黒板システム（以下「電子黒板システム」と記述する）を説明する。
【００２７】
〔実施の形態１〕
実施の形態１に係る電子黒板システムについて、
１．システム構成
２．動作
３．効果
の順で詳細に説明する説明する。なお、本発明の画像処理方法を用いた具体的処理、画像処理装置の構成および画像処理方法を実現する電子黒板システムの構成については、「２．動作」で電子黒板システムにおける印刷処理を説明する際に説明する。
【００２８】
１．システム構成
図１は、実施の形態１に係る電子黒板システムのブロック構成図である。図１に示す電子黒板システム１００は、主として、画像を表示するプラズマディスプレイパネル（以下「ＰＤＰ」と記述する）１０１と、ＰＤＰ１０１の前面に配置され、指先またはタッチペンでタッチ面（書き込み面）をタッチすることにより文字や図形等を入力可能なタッチ入力装置１０２と、指先またはタッチペンでタッチされたタッチ面上の座標位置の演算等を行うタッチ入力装置用コントローラ（以下「コントローラ」と記述する）１０３と、コントローラ１０３から座標位置情報を入力し、入力した座標位置情報に基づいて、タッチ入力装置１０２を介して入力された文字・図形等をＰＤＰ１０１に描画する処理等、システム全体を制御するコンピュータ１０４（パーソナルコンピュータ）と、を備えている。
【００２９】
また、電子黒板システム１００のコンピュータ１０４には各種の周辺機器を接続することができる。図１においては、一例として、原稿の画像を読み取るためのスキャナ１０５や画像データを記録紙に出力するプリンタ１０６がコンピュータ１０４に接続された様子が示されている。また、コンピュータ１０４を介して電子黒板システム１００をネットワーク１０７に接続することができ、ネットワーク１０７上に接続された他のコンピュータで作成したデータをＰＤＰ１０１に表示したり、電子黒板システム１００で作成したデータを他のコンピュータに転送することも可能となる。
【００３０】
さらに、図示することは省略するが、ＰＤＰ１０１にはビデオ入力端子やスピーカー設けられており、ビデオプレイヤー１０８をはじめ、その他レーザディスクプレイヤー，ＤＶＤプレイヤー，ビデオカメラ等の各種情報機器やＡＶ機器を接続し、ＰＤＰ１０１を大画面モニタとして利用することができる。
【００３１】
ここで、ＰＤＰ１０１としては、４０インチ，５０インチ等、電子黒板として利用可能な大画面タイプのものが用いられる。プラズマディスプレイには、大型化が可能であり、輝度が高くプロジェクターを用いた場合のように部屋を暗くする必要がなく、液晶ディスプレイと異なり視野角が広く、さらに、動画もスムーズに再生できるという特徴があることから、実施の形態１ではディスプレイとしてプラズマディスプレイを採用することにしている。このようにプラズマディスプレイを用いるため、実施の形態１における表示装置の薄型化（小型化）を図ることができる。
【００３２】
タッチ入力装置１０２としては、超音波表面弾性波方式のタッチ入力装置が用いられる。図２は、電子黒板システム１００において使用されるタッチ入力装置１０２の構成図である。このタッチ入力装置１０２は、透明な基板２００を有すると共に、指先やタッチペンで文字・図形等を書き込むためのタッチ面（書き込み面）２０１となる基板２００の一つの面に、表面弾性波を発信する発信用トランスデューサ２０２と、発信用トランスデューサ２０２から発信された表面弾性波を受信する受信用トランスデューサ２０３と、発信用トランスデューサ２０２から発信された表面弾性波をそれぞれ反射し、受信用トランスデューサ２０３に表面弾性波を導く反射アレイ２０４・２０５と、同様に、表面弾性波を発信する発信用トランスデューサ２０６と、発信用トランスデューサ２０６から発信された表面弾性波を受信する受信用トランスデューサ２０７と、発信用トランスデューサ２０６から発信された表面弾性波をそれぞれ反射し、受信用トランスデューサ２０７に表面弾性波を導く反射アレイ２０８・２０９とを有している。なお、タッチ面２０１はＰＤＰ１０１の画面サイズに対応したサイズを有している。
【００３３】
図２において、発信用トランスデューサ２０２・２０６および受信用トランスデューサ２０３・２０７は、それぞれケーブル２１０およびコネクタ２１１を介してコントローラ１０３に接続されている。ケーブル２１０は、基板２００の端部に沿って発信用トランスデューサ２０２・２０６および受信用トランスデューサ２０３・２０７まで最短距離を通るように配線されることが好ましいが、ここでは図示を省略する。
【００３４】
また、ケーブル２１０と受信用トランスデューサ２０３・２０７とを接続する際には、ケーブル２１０のシールド層を剥がして受信用トランスデューサ２０３・２０７に接続する必要がある。そのため、シールド層が剥がされたケーブル２１０の部分がアンテナとなってＰＤＰ１０１から発生される電磁波をノイズとして拾ってしまうため、ＰＤＰ１０１および基板２００の間に遮蔽部材、例えば銅製のシールドテープ（銅箔テープ）を設けることにしている。このシールドテープは、ＰＤＰ１０１と超音波表面弾性波方式のタッチ入力装置１０２とを組み合わせた場合、ＰＤＰ１０１から発生される電磁波の影響を受けてタッチ入力装置１０２が精度良く機能しないことを本発明の発明者らが見出した結果に基づいて設けられたものである。
【００３５】
図３は、このシールドテープを説明する説明図である。図３は、基板２００において受信用トランスデューサ２０２・２０６が設けられた部分をタッチ面２０１から見た様子を示し、シールドテープ３００は、マスキングテープ３０１を挟んで基板２００のＰＤＰ１０１に対向する面（タッチ面２０１と反対側の面）に貼付されている。この図３に示すシールドテープ３００はＬ字上の形状を有し、実験の結果、幅が３５ｍｍ±３ｍｍ、基板２００に対する縦方向の長さが７０ｍｍ±２０ｍｍ、基板２００に対する横方向の長さが１３０ｍｍ±２０ｍｍというサイズのものが最適であると確認されている。
【００３６】
なお、図３においては、受信用トランスデューサ２０３・２０７を覆うようにシールドテープ３００をＰＤＰ１０１および基板２００の間に設けることにしたが、さらに、タッチ面２０１側にも同様なシールドテープを設けることにより、ノイズ対策の強化を図ることができる。この場合、一枚のシールドテープで受信用トランスデューサ２０３・２０７を覆うようにしても良い。ただし、タッチ面２０１側にシールドテープを設ける場合は、反射アレイ２０５・２０９にシールドテープが接触しないように注意する必要がある。
【００３７】
基板２００としては、透明で表面弾性波を伝播することが可能なものであれば、ガラス，プラスチック等、いかなる種類の材料を用いることにしても良い。また、例えば、基板２００をガラス基板とした場合、反射アレイ２０４・２０５・２０８・２０９は、ガラスペーストをスクリーン印刷した後、ガラス基板２００を所定の温度で焼成して形成される。
【００３８】
続いて、ユーザが指先またはタッチペンでタッチ面をタッチした場合に、そのタッチ位置の座標を特定する方法の概略を説明する。図４は、タッチ位置の座標を特定する処理を説明するための説明図である。図４において、発信用トランスデューサ２０２および受信用トランスデューサ２０３はタッチ位置のＸ軸方向の位置を検出するために用いられ、発信用トランスデューサ２０６および受信用トランスデューサ２０７はタッチ位置のＹ軸方向の位置を検出するために用いられる。ここでは、説明の便宜上、Ｘ軸方向の位置を検出する処理を中心に説明する。
【００３９】
タッチ位置の座標を特定する処理は、タッチ入力装置１０２およびコントローラ１０３によって実行される。発信用トランスデューサ２０２は、コントローラ１０３から電気信号を入力し、入力した電気信号を機械振動に変換する。その結果、基板２００のタッチ面２０１の表面または界面に沿って伝播する表面弾性波が発生する。
【００４０】
発信用トランスデューサ２０２によって発生された表面弾性波は、反射アレイ２０４を構成する各反射素子により、発信側トランスデューサ２０２に近い方から順次９０度反射され、タッチ面２０１を伝播していくことになる。すなわち、反射アレイ２０４を構成する各反射素子により、表面弾性波の一部が反射され、一部が透過するという現象が繰り返され、タッチ面２０１の全面にわたって表面弾性波が伝播していく。反射アレイ２０４の構成する各反射素子によって反射された表面弾性波は、タッチ面２０１の縦方向に平行に、かつ反射させられた反射素子の位置に基づく時間差を持ってタッチ面２０１を伝播していく。そして、反射アレイ２０５は、タッチ面２０１を伝播してきた表面弾性波を９０度反射し、反射した表面弾性波を受信用トランスデューサ２０３に導く。
【００４１】
受信用トランスデューサ２０３は、表面弾性波を受信して電気信号に変換し、コントローラ１０３に入力する。コントローラ１０３は、入力した電気信号を増幅した後、整流およびＡ／Ｄ変換処理を行う。そして、コントローラ１０３は、Ａ／Ｄ変換した信号を時間軸に沿って信号処理することにより、タッチ面２０１におけるＸ軸方向の位置を時間に対応させる。
【００４２】
例えば、図４に示すように、ユーザがタッチ面２０１の任意の位置を指先でタッチしたものとする。この場合、タッチ位置を伝播している表面弾性波は指先によって吸収または散乱され、大きな減衰を受けることになる。このような減衰を受けた時点を上述した信号処理の結果に基づいて特定することにより、タッチ位置のＸ軸方向における位置を特定することができる。具体的には、図４に示すように、タッチ面２０１を横切る実線がタッチ位置のＸ軸方向における位置として特定される。
【００４３】
タッチ位置のＹ軸方向の位置についても、発信用トランスデューサ２０６，受信用トランスデューサ２０７および反射アレイ２０８・２０９を用いてＸ軸方向の位置を特定する処理と同様の処理を行うことによって特定することができる。具体的には、図４に示すように、タッチ面２０１を横切る点線がタッチ位置のＹ軸方向における位置として特定される。
【００４４】
コントローラ１０３は、このようにしてＸ軸方向およびＹ軸方向の位置を特定し、図１に示したコンピュータ１０４に座標位置情報として入力する。コンピュータ１０４は入力した座標位置情報に基づいて、ユーザがタッチ面２０１をタッチした位置にマウスカーソルを一致させてＰＤＰ１０１に表示する等、後に説明する各種の処理を実行する。
【００４５】
なお、受信用トランスデューサ２０３・２０７で受信する際の表面弾性波は各反射アレイによる反射およびタッチ面２０１の伝播によって減衰しており、受信用トランスデューサ２０３・２０７から出力される電気信号は非常に小さい。したがって、ＰＤＰ１０１から発生される電磁波等のノイズが混入すると、ノイズの影響でタッチ面２０１がタッチされたことによる表面弾性波の減衰を検出することができなくなる。図３に示したシールドテープ３００はこのような事態の発生を防止するために設けられており、このシールドテープ３００の存在により、実施の形態１においては精度の高いタッチ位置の座標検出が可能となる。換言すれば、このシールドテープ３００は、超音波弾性波方式のタッチ入力装置１０２と共に用いる表示装置としてプラズマディスプレイを採用できるようにするための大きな役割を有している。
【００４６】
続いて、図２に示したコンピュータ１０４の概略構成を説明する。図５は、コンピュータ１０４のブロック構成図である。図５に示すコンピュータ１０４は、パーソナルコンピュータであって、システム全体を制御するＣＰＵ５００と、ブートプログラム等を記憶したＲＯＭ５０１と、ＣＰＵ５００のワークエリアとして使用されるＲＡＭ５０２と、文字，数値，各種指示等の入力を行うためのキーボード５０３と、カーソルの移動や範囲選択等を行うためのマウス５０４と、オペレーティング・システム（ＯＳ）５０５，電子黒板システム１００を電子黒板として機能させる電子黒板ソフト５０６，タッチ入力装置１０２およびコントローラ１０３を座標入力装置としてコンピュータ１０４上で動作させるタッチパネルドライバ５０７およびワードプロセッサ・表計算ソフト等の各種アプリケーションプログラム５０８等を記憶したハードディスク５０９と、ＰＤＰ１０１と接続され、ＰＤＰ１０１に対する画像の表示を制御するグラフィックス・ボード５１０と、電子黒板システム１００をコンピュータ１０４を介してネットワーク１０７に接続するネットワーク・カード５１１（またはモデムでも良い）と、コントローラ１０３，スキャナ１０５，プリンタ１０６等を接続するためのインターフェイス（Ｉ／Ｆ）５１２と、上記各部を接続するためのバス５１３と、を備えている。
【００４７】
図５においては、説明の便宜上、コンピュータ１０４に周辺機器を接続するためのインターフェイスをＩ／Ｆ５１２という一つのブロックで示すことにしたが、具体的にＩ／Ｆ５１２は、例えばコントローラ１０３を接続するためのＲＳ−２３２Ｃのようなシリアル・インターフェイス，プリンタ１０６を接続するためのセントロニクスのようなパラレル・インターフェイス，スキャナを接続するためのＳＣＳＩ等で構成される。
【００４８】
なお、図１に示したように、コントローラ１０３をコンピュータ１０４から独立させた構成としているが、コンピュータ１０４中にコントローラ１０３を内蔵することにしても良い。また、図５に図示することは省略するが、コンピュータ１０４にはフロッピーディスクドライブ装置，ＣＤ−ＲＯＭドライブ装置，ＭＯドライブ装置等が搭載されている。
【００４９】
以上説明した電子黒板システム１００を構成する各装置は、筐体ユニットに収納されて一体化され、システム全体の小型化・操作性・取扱性・利便性の向上が図られる。このように筐体ユニットに電子黒板システム１００を収納するのは、電子黒板システム１００が、図１に示したような複数の装置で構成されるため、これらを別々に管理することにすると広い設置スペースが必要であり、かつ、移動に手間がかかるという問題が発生するからである。
【００５０】
図６は電子黒板システム１００を収納した筐体ユニットを前方側から見た斜視図であり、図７は後方側から見た斜視図である。図６および図７に示す筐体ユニット６００は、ＰＤＰ１０１およびタッチ入力装置１０２を収納したパネル部６０１と、コントローラ１０３を収納したコントローラ収納部６０２と、パネル部６０１およびコントローラ収納部６０２を所定の高さで支持するスタンド６０３を有すると共に、コンピュータ１０４，スキャナ１０５，プリンタ１０６，ビデオプレイヤー１０８等を収納する機器収納部６０４と、から構成される。
【００５１】
ＰＤＰ１０１およびタッチ入力装置１０２は、ＰＤＰ１０１の前面にタッチ入力装置１０２が位置するようにして一体化され、図６に示すように、パネル部６０１前面にタッチ入力装置１０２のタッチ面２０１が現れるようにしてパネル部６０１に収納される。このように、パネル部６０１はＰＤＰ１０１およびタッチ入力装置１０２を収納して、電子黒板の表示面および書き込み面（タッチ面２０１）を構成する。
【００５２】
また、コントローラ１０３は、図７に示すように、パネル部６０１の背面に設けられたコントローラ収納部６０２に収納される。そして、パネル部６０１は、ＰＤＰ１０１の画像表示面およびタッチ入力装置１０１のタッチ面２０１が所定の高さに位置するように、ステー６０５を介して機器収納部６０４のスタンド６０３に取り付けられて支持される。また、コントローラ収納部６０２も同様に、スタンド６０３に取り付けられる。
【００５３】
なお、図６に示すパネル部６０１の前面側において、６０６はスピーカを、６０７はＰＤＰ１０１の電源ランプをそれぞれ示している。また、詳細な説明については省略するが、実施の形態１に係る電子黒板システム１００においては、コンピュータ１０４，ビデオプレイヤー１０８等のＰＤＰ１０１に対する画像出力元の切り換え、ボリューム調整等をリモコンで操作することも可能であり、６０８はリモコンからの光を受光するリモコン受光部に該当する。
【００５４】
また、図７に示すパネル部６０１の背面側において、６０９は電子黒板システム１００の移動用取っ手を、６１０はＰＤＰ１０１の輝度，コントラスト等を設定するための操作パネルを、６１１は後述するパネル部６０１の角度を調整するための角度調整レバーをそれぞれ示している。さらに、図示を省略するが、コントローラ収納部６０２の底面には、コンピュータ１０４，ビデオプレイヤー１０８等をＰＤＰ１０１，コントローラ１０３等に接続するためのコネクタパネルが設けられている。
【００５５】
すなわち、コンピュータ１０４の画像出力ケーブルおよび音声出力用ケーブルは、このコネクタパネルを介してＰＤＰ１０１に接続され、また、コンピュータ１０４およびコントローラ１０３はこのコネクタパネルを介して接続される。さらに、ビデオプレイヤー１０８等の各種情報機器やＡＶ機器についても、このコネクタパネルを介してＰＤＰ１０１に接続される。
【００５６】
筐体ユニット６００の機器収納部６０４は、鉛直方向に向かって下からコンピュータ１０４を収納するためのコンピュータ収納部６１２と、ビデオプレイヤー１０８やその他レーザディスクプレイヤー，ＤＶＤプレイヤーのような各種情報機器やＡＶ機器を収納するためのビデオ収納部６１３と、プリンタ１０６を収納するためのプリンタ収納部６１４と、を備えている。このように、鉛直方向に向かって下から重量のある機器を配置することにより、上方にＰＤＰ１０１およびタッチ入力装置１０２を有するボード部６０１が存在する場合であっても、移動時および設置時における筐体ユニット６００の安定性を確保することができる。なお、機器収納部６０４には、図１に示したスキャナ１０５を収納する収納部分が設けられていないが、鉛直方向に向かって下から重量のある機器を配置するという条件が守られる限り、スキャナ１０５用の収納部分を設けることにしても良い。
【００５７】
コンピュータ収納部６１２の両側面は扉になっており、フロッピーディスクやＣＤ−ＲＯＭの抜き差しを行うことができるようになっている。また、ビデオ収納部６１３の前面は扉になっており、ビデオテープ，レーザディスク等の抜き差しを行うことができるようになっている。さらに、プリンタ収納部６１４の前面も扉になっており、プリンタ１０６の操作を行うことができ、また、この扉にはタッチ入力装置１０２のタッチ面２０１にタッチするためのタッチペン（図示せず）が収納できるようになっている。加えて、プリンタ収納部６１４の背面は筐体によって覆われておらず、給紙トレイが筐体ユニット６００外部に位置するようにプリンタ１０６を収納でき（図８参照）、操作性の向上が図られている。
【００５８】
なお、図６に示す機器収納部６０４の前面側において、６１５はコンピュータ１０４のキーボード５０３を常に使用可能な状態で載置できるキーボード台を、６１６は電子黒板システム１００を筐体ユニット６００ごと移動させるためのキャスターをそれぞれ示している。また、図７に示す機器収納部６０４の背面側において、６１７はＰＤＰ１０１，コントローラ１０３，コンピュータ１０４等に電源を供給する電源タップを、６１８は各種ケーブルを配線するためのケーブルガイドを、６１９は電子黒板システム１００の主電源スイッチをそれぞれ示している。
【００５９】
このように、電子黒板システム１００を筐体ユニット６００に収納することにより、筐体ユニット６００を移動させるだけで電子黒板システム１００を容易に移動・設置することができる。また、筐体ユニット６００の機器収納部６０４には、重力方向（鉛直方向）の下から順に重量の大きな装置を配置するため、移動時および設定時における筐体ユニット６００の安定性を確保することができる。
【００６０】
さらに、前述した筐体ユニット６００には、ＰＤＰ１０１の表示面に例えば蛍光灯の光が直接入り込み、ＰＤＰ１０１上に表示された画像が見にくくなる可能性があることを考慮して、ボード部６０１（電子黒板の表示面および書き込み面）の角度を調整する角度調整機構部が設けられている。そこで、この角度調整機構部の構成例を説明する。
【００６１】
図８は、右側面から見た筐体ユニット６００側面図である。図８において８００は回動支点を、８０１は回動ガイドをそれぞれ示し、ボード部６０１は、ステー６０５を介して筐体ユニット６００の左右に存在するスタント６０３に回動支点８００を支点として回動自在に取り付けられている。つまり、首を上下に振るように、回動支点８００を中心にして図８中の矢印で示す方向にボード部６０１を回動させることができ、蛍光灯の光がＰＤＰ１０１に写り込まない角度に調整できるようになっている。ここで、回動ガイド８０１は、回動支点８００を中心にして回動するボード部６０１の角度を規制するものであり、また、角度調整レバー６１１は、後述する機構を介してボード部６０１を回動させて角度調整を行うものである。
【００６２】
実施の形態１においては、角度調整レバー６１１の操作によりボード部６０１の角度を０度（ボード部６０１が垂直に立った状態）から５度（ボード部６０１を斜め下に向けた状態）の範囲で調整できるものとする。また、上記回動支点８００，回動ガイド８０１，角度調整レバー６１１および以下に説明する各構成部材により、角度調整機構部８０２が構成されるものとする。
【００６３】
なお、図８において、８０３はプリンタ収納部６１４に収納されたプリンタ１０６のトレイを示している。図８に示すように、ボード部６０１の角度調整を行うための角度調整レバー６１１は、トレイ８０３に記録紙を給紙する際に邪魔にならないような位置に設けられる。
【００６４】
図９および図１０は、上方から見た角度調整機構部８０２の構成図であり、図９はボード部６０１の角度を５度にした状態を、図１０は角度を０度にした状態を示している。また、図１１は、図９および図１０に示す角度調整機構部８０２を側面から見た構成図であり、図１０に示すボード部６０１の角度を０度にした状態に対応している。
【００６５】
図９〜図１１において、９００はステー６０５の間にＰＤＰ支点９０１によって回動自在に取り付けられたＰＤＰアングルを、９０２はスタンド６０３の間にスタンド支点９０３によって回動自在に取り付けられ、角度調整レバー６１１と共にボード部６０１の角度調整時に利用されるレバー受台９０４が取り付けられたスタントステーをそれぞれ示している。
【００６６】
角度調整レバー６１１は、ＰＤＰアングル９００およびスタンドステー９０２を挟み込むような形状を有し、ＰＤＰアングル９００側のレバー支点９０５に回動自在に取り付けられている。加えて、角度調整レバー６１１には、スタンドステー９０２に取り付けられたレバー受台９０４の平面部９０６および斜面部９０７に接触し、角度調整レバー６１１の回動に伴って回転するベアリング９０８が設けられている。
【００６７】
ここで、角度調整機構部８０２の状態は図９に示す状態にあり、ボード部６０１の角度は５度で傾いている状態にあるものとする。ユーザが角度調整レバー６１１を左方向（図中の矢印方向）に操作すると、角度調整レバー６１１がレバー支点９０５を中心にして回動し、これに伴って角度調整レバー６１１のベアリング９０８がレバー受台９０４の平面部９０６を移動すると共に斜面部９０７の斜面を登る結果、ＰＤＰアングル９００を前方に押し出す力が発生する。すなわち、レバー受台９０４はスタンドステー９０２を介してスタンド６０３に固定されており、ＰＤＰアングル９００は回動支点８００および回動ガイド８０１においてボード部６０１を回動自在に支持するステー６０５に取り付けられているため、角度調整レバー６１１の操作により、ＰＤＰアングル９００と共にボード部６０１を回動させることができる（ボード部６０１の下端部を前方に押し出すことができる）。
【００６８】
このような角度調整レバー６１１の操作により、角度調整機構部８０２は図９から図１０に示す状態に変化することになり、ボード部６０１の角度を５度から０度に変化させることができる。つまり、図９および図１０に示すように、ＰＤＰアングル９００およびスタンドステー９０２の間隔をＬ１からＬ２のように広げることにより、ボード部６０１の角度を５度から０度に変化させることができる。
【００６９】
また、同様に、図１０に示す状態からユーザが角度調整レバー６１１を右方向（図中の矢印方向）に操作することにより、ボード部６０１の角度を０度から５度に変化させることができる。
【００７０】
なお、図示することは省略するが、ボード部６０１の角度を変化させることに伴って図１１に示す角度調整レバー６１１の角度も変化することになる。ところが、ＰＤＰステー９００およびスタンドステー９０２はそれぞれ回動自在に固定されているため、ボード部６０１の角度変化の影響を受けないようになっている。
【００７１】
また、図１２に示すように、ＰＤＰアングル９００およびスタンドステー９０２の間に１または複数のスプリング１２００を設けることにより、角度調整レバー６１１の操作性の向上を図ることができる。これは、ボード部９０１の重量および角度調整レバー６１１の長さによっては、角度調整レバー６１１の操作が重くなってしまうことを考慮したものである。したがって、ボード部６０１の重量によって、スプリング１２００の本数やスプリング力を調整することにより、さらなる操作性の向上を図ることができる。
【００７２】
また、レバー受台９０４はスタンドステー９０２に例えばネジ等で固定されることになるが、ネジを通すスタンドステー９０２の穴（図示せず）を長方形のような長穴としておくことが好ましい。その結果、レバー受台９０４の固定位置を好みに応じて変更することができるため、調整可能なボード部６０１の角度範囲を変化させることが可能となる。
【００７３】
さらに、図１３に示すようにレバー受台９０４をＰＤＰステー９００に設けると共に、レバー支点９０５をスタンドステー９０２に設け、図９〜図１２に示した角度調整機構部８０２とは逆の構成にしても、同様にボード部６０１の角度調整を行うことができる。
【００７４】
前述した角度調整機構部８０２の構成はあくまで一例であって、種々の設計・変更を行うことが可能である。例えば、図９や図１０に示した角度調整レバー６１１を含む角度調整機構部８０２の構成部材をボード部６０１の上の方に設け、回動支点８００および回動ガイド８０１の位置を逆にしても良い。
【００７５】
このように、筐体ユニット６００にボード部６０１の角度を調整する角度調整機構部８０２を設けることにより、ＰＤＰ１０１に対する外乱光の入射、特に天井にある蛍光灯等の照明器具からの光を避けることができる。したがって、画面が見やすくなり、電子黒板システム１００の利便性の向上を図ることができる。
【００７６】
２．動作
つぎに、前述した構成を有する電子黒板システム１００の動作について、
（１）概要
（２）システムを電子黒板として使用する場合
（３）電子黒板で作成したデータを印刷する場合
（本発明の画像処理方法）
（４）システムをコンピュータとして使用する場合
（５）タッチ入力装置の調整
（６）ＡＶ機器の利用
（７）ネットワーク接続
の順で説明する。なお、本発明に係る画像処理方法については、「（３）電子黒板で作成したデータを印刷する場合」で説明する。
【００７７】
（１）概要
実施の形態１に係る電子黒板システム１００は、大画面のＰＤＰ１０１と超音波表面弾性波方式のタッチ入力装置１０２とを融合し、プロジェクターのような大画面で、指先やタッチペンでの画面上への自由な書き込み、コンピュータデータの鮮明な表示を可能にした、会議や打ち合わせ等に利用可能なコミュニケーションツールといえるものである。
【００７８】
具体的には、ユーザがタッチ入力装置１０２のタッチ面２０１に指先やタッチペンで文字や図形を書くことにより、書いた文字や図形をそのままＰＤＰ１０１上に表示することができる。また、ワードプロセッサや表計算ソフトの画面をキャプチャし、キャプチャした画面に文字や図形を書きこんだり、画面の一部をペンツールで強調したりすることができる。
【００７９】
システム上では、ＰＤＰ１０１に表示された画面を１ページとし、書き込んだ情報をページ単位で管理するため、全ページの一覧表示・ページの並び替え・ページの追加および削除等の編集処理を行うことができる。作成した各ページをファイルとして保存しておくことができ、何回かに分けて同一の議題の会議を行うような場合には、何度でも呼び出して利用することができる。そして、呼び出したファイルを加工することができ、新たな資料の作成のために再利用することができる。
【００８０】
また、プレゼンテーションソフトを用いて他のコンピュータで作成したファイルをネットワーク１０７等を介して読み込んで、そのファイルを用いてプレゼンテーションを行うことも可能である。ファイルのデータを用いてプレゼンテーションを行うことができるため、プロジェクタを利用したプレゼンテーションに必要なＯＨＰフィルムは不要である。前述したように、プレゼンテーションを行いつつ、プレゼンテーションソフトで作成したファイルを開いた画面上にタッチ入力装置１０２を介してマーキングすることができ、より効果的なプレゼンテーションを行うことが可能となる。
【００８１】
また、通常のコンピュータとしても利用可能であり、大画面のＰＤＰ１０１を利用して、コンピュータの操作方法の教育等にも活用することができる。
【００８２】
さらに、電子黒板システム１００で作成したデータを印刷する際に、トナーやインク等の消費量を効果的に低減するための画像印刷機能（本発明に係る画像処理方法を含む）が実装される。
【００８３】
（２）システムを電子黒板として使用する場合
続いて、電子黒板システム１００を電子黒板として使用する場合について、
１）電子黒板ソフト
２）手書きによる文字・図形の書き込み
３）手書き文字・図形の消去
４）図形の描画
５）新たなページの作成
６）以前に作成したファイルを開く
７）ワードプロセッサ・表計算ソフト・プレゼンテーションソフトの画
面を取り込む
８）作成中のページを一覧表示する
９）作成したページを保存する
１０）その他
の順で説明する。
【００８４】
１）電子黒板ソフト
図５に示した電子黒板ソフト５０６がＣＰＵ５００によって実行されることにより、電子黒板システム１００を電子黒板として動作させることができる。この電子黒板ソフト５０６は、ワードプロセッサ・表計算ソフト等の各種アプリケーションプログラム５０８と同様に、ＯＳ５０５による制御の下で動作するアプリケーションプログラムの一種である。実施の形態１では、図７に示したシステムの主電源スイッチ６１９をＯＮにすると、ＯＳ５０５の起動に続いて直ちに電子黒板ソフト５０６が起動されるという設定にしておくと作業性の面において好ましい。ただし、ＯＳ５０５によって提供されるデスクトップ画面がシステムの起動時に表示され、デスクトップ画面上に表示されたアイコンを選択して電子黒板ソフト５０６を起動することにしても良い。
【００８５】
電子黒板ソフト５０６が起動されると、図１４に示すような電子黒板画面１４００がＰＤＰ１０１上に表示される。この電子黒板画面１４００は、例えばホワイトボードの書き込み面に相当するものである。この電子黒板画面１４００を表示しているＰＤＰ１０１の前面に位置するタッチ入力装置１０２のタッチ面２０１上にユーザが指先やタッチペンで文字や図形を描くと、タッチ入力装置１０２・コントローラ１０３・コンピュータ１０４を介し、ホワイトボードにペンで文字や図形を書いたように、ユーザがタッチ面２０１に書いた文字や図形がそのままＰＤＰ１０１上の電子黒板画面１４００に描画される。
【００８６】
また、電子黒板ソフト５０６は、ページ単位で情報を管理するように構成されており、上記電子黒板画面１４００は電子黒板ソフト５０６が管理する１ページ分の情報書き込み領域に相当する。ユーザは電子黒板ソフト５０６を操作して複数のページを作成することができ、その中の任意のページを電子黒板画面１４００として表示することができる。
【００８７】
さらに、電子黒板ソフト５０６は、図１４に示すように、各種の操作を行うための複数のボタンを含むツールバー１４０１を電子黒板画面１４００上に表示する。ここで、ツールバー１４０１中の各ボタンに割り当てられている機能の概略を説明する。なお、後述するように、電子黒板画面１４００に表示されるツールバーには、ツールバー１４０１の他、拡張ツールバー（図１５参照）および図形描画ツールバー（図１６参照）が用意されている。
【００８８】
・コンピュータ画面ボタン１４０２：
ＰＤＰ１０１上の表示をコンピュータの画面（デスクトップ画面または他のアプリケーションプログラムの画面）に切り換える。
・ペンボタン１４０３：
手書きでＰＤＰ１０１上に文字や線を書くことができる（ペンツールの利用を指定）。
・消しゴムボタン１４０４：
手書きで書いた文字や線を消すことができる。
・前ページボタン１４０５：
前のページを表示する。
・ページ番号ウインドウ１４０６：
現在電子黒板画面１４００として表示されているページのページ数を表示する。
・次ページボタン１４０７：
つぎのページを表示する。
・印刷ボタン１４０８：
現在作成しているファイルのページをプリンタ１０６で印刷する。
・サムネイルボタン１４０９：
現在作成しているファイルを構成するページを一覧表示する。
・終了ボタン１４１０：
電子黒板ソフト５０６を終了する。
・拡張ボタン１４１１：
図１５に示す拡張ツールバー１５００を表示する。拡張ツールバー１５００中の拡張ボタン１４１１にタッチすると、図１４に示すツールバー１４０１に復帰する。
【００８９】
上記拡張ボタン１４１１にタッチした場合に表示される拡張ツールバー１５００中の各ボタンに割り当てられた機能について図１５を参照しつつ説明する。なお、図１４に示したツールバー１４０１中のボタンと同一のボタンについては同一の符号を付して説明を省略する。
【００９０】
・ファイルボタン１５０１：
新しいページを開いたり、以前に作成したファイルを開くことができる。
・保存ボタン１５０２：
現在作成しているファイルを保存する。
・表示ボタン１５０３：
サムネイル表示，全体表示およびウィンドウ表示の切り換え、ズーム（拡大）表示の設定を行うことができる。
・図形描画ボタン１５０４：
図１６に示す図形描画ツールバー１６００が表示され、線，四角形，楕円を描くことができる（図形描画ツールの利用を指定）。図形描画ツールバー１６００中の各ボタンについては後に説明する。
・背景設定ボタン１５０５：
ＰＤＰ１０１に表示する電子黒板画面１４００の背景色の設定を行うことができる。
・オプションボタン１５０６：
電源投入時および終了時の電子黒板ソフト５０６の表示、後述する他の画面をキャプチャしたときのページ挿入の設定を行うことができる。また、作業フォルダ変更の設定を行うことができる。
・ヘルプボタン１５０７：
操作や機能説明を記載したヘルプ画面を表示することができる。
【００９１】
さらに、上記図形描画ボタン１５０４にタッチした場合に表示される図形描画ツールバー１６００中の各ボタンに割り当てられた機能について図１６を参照しつつ説明する。
【００９２】
・選択ボタン１６０１：
作成した図形を編集する場合に、編集対象となる図形を選択することができる。
・直線ボタン１６０２：
直線を引くことができる。
・四角形ボタン１６０３：
四角形を描くことができる。
・楕円ボタン１６０４：
楕円を描くことができる。
・編集ボタン１６０５：
作成した図形を編集する。
【００９３】
なお、電子黒板ソフト５０６は、コントローラ１０３から入力される座標位置情報に基づいて、ユーザがいずれのボタンをタッチしたのかを知ることができる。
【００９４】
また、ユーザは、図１４〜図１６に示した各ツールバーの所定の位置に指先でタッチし、そのまま指先を移動させることにより、ツールバーを好みの場所に移動させることができる。
【００９５】
また、図１４に示した電子黒板画面１４００は、いわゆる全画面表示と呼ばれる表示形態でＰＤＰ１０１の表示領域全面に表示されている。ユーザは上記拡張ツールバー１５００中の表示ボタン１５０３にタッチし、所定の操作を行うことにより、電子黒板画面１４００をウインドウ表示に切り換えることができる。さらに、電子黒板ソフト５０６は、ＯＳ５０５上で動作するアプリケーションプログラムの一種であるため、後述するように、ツールバー１４０１（または拡張ツールバー１５００）中のコンピュータ画面ボタン１４０２にタッチすることにより、ＰＤＰ１０１の表示を電子黒板画面１４００からデスクトップ画面またはワードプロセッサ等の表示画面に簡単に切り換えることができる。
【００９６】
さらに、タッチ入力装置１０２の操作（タッチ面２０１へのタッチ）は、指先やタッチペンの他、表面弾性波を減衰させることができるものであれば、どのようなものを用いて操作を行っても良い。したがって、以下の説明において、例えば「指先でタッチする」という記述があっても、タッチペンやその他の物でタッチして同様な操作を行うことができる。
【００９７】
２）手書きによる文字・図形の書き込み
続いて、上述した電子黒板ソフト５０６を用いた各種の操作について順番に説明していくことにする。ここでは、手書きで文字や図形を書き込む方法について説明する。
【００９８】
電子黒板ソフト５０６には、ユーザの指先またはタッチペンを本物のペンのように用い、手書きで電子黒板画面１４００上に文字や図形を書き込むためのペンツールが用意されている。このペンツールは、ユーザがツールバー１４０１（または拡張ツールバー１５００）中のペンボタン１４０３にタッチすることにより利用可能となる。ユーザは、黒板やホワイトボードに手書きで文字を書くようにして、タッチ面２０１上に指先やタッチペンで文字や線を書くことにより、電子黒板画面１４００上に対応する文字や線を表示させることができる。このペンツールでは、ユーザの指先やタッチペンが本物のペンのようになり、指先によって書くことができる文字や図形の色や線の太さを設定することもできる。図１７は、手書きで文字や線を書いた結果がＰＤＰ１０１上の電子黒板画面１４００に表示された様子を示す説明図である。
【００９９】
ここで、図１，図４および図５を用いて、電子黒板画面１４００に文字を表示する処理を簡単に説明する。ユーザがタッチ面２０１に指先で文字を書いた場合、タッチ面２０１を伝播する表面弾性波が減衰されることになる。その結果、コントローラ１０３は、表面弾性波の減衰に基づいて指先の軌跡に対応する座標位置情報を求めることができ、求めた座標位置情報を順次コンピュータ１０４に入力する。コンピュータ１０４において、電子黒板ソフト５０６およびＯＳ５０５は、コントローラ１０３から座標位置情報を入力すると、あらかじめ設定されている色および太さで線を描画するための描画情報を生成し、該当する座標位置に合わせてグラフィックス・ボード５１０のビデオメモリ（図示せず）に書き込んでいく。グラフィックス・ボード５１０は、ビデオメモリの内容に従って画像信号をＰＤＰ１０１に送信し、ユーザがタッチ面２０１に書いた文字と同一の文字をＰＤＰ１０１に表示する処理を制御する。
【０１００】
簡単に言えば、コンピュータ１０４は、タッチ入力装置１０２およびコントローラ１０３をマウスのようなポインティングデバイスとして認識しているため、コンピュータ１０４では、描画ソフト上でマウスを用いて文字を書いた場合と同様な処理が行われることになる。なお、以下に説明する文字の消去や図形の描画等の処理においても、前述したような過程で処理されることになる。
【０１０１】
３）手書き文字・図形の消去
消しゴムボタン１４０４にタッチすることにより、ユーザは、電子黒板画面１４００上に手書きで書いた文字や図形を消しゴムで消すようにして消去することができる。消しゴムボタン１４０４にタッチすると、ユーザの指先やタッチペンを本物の消しゴムのように用いることができ、その消しゴムの大きさ、つまり文字や図形を一度に消すことができる範囲を設定することもできる。図１８は、図１７に示した手書きの文字や線を消しゴム１８００で消去する際の様子を示す説明図である。
【０１０２】
また、この手書き文字の消去モードでは、図１９に示すように、消去したい手書き文字や線を枠１９００で囲い、枠１９００中の文字や線を一度に消去することもできる（囲い消し）。
【０１０３】
４）図形の描画
電子黒板ソフト５０６には、直線，四角形，楕円のような図形を描くための図形描画ツールが用意されている。この図形描画ツールは、図１６に示した描画ツールバー１６００を介して利用可能することができるものである。ユーザは、ツールバー１４００（図１４参照）の拡張ボタン１４１１にタッチして拡張ツールバー１５００を表示した後（図１５参照）、拡張ツールバー１５００の描画ボタン１５０４にタッチすることにより、図１６に示す描画ツールバー１６００を電子黒板画面１４００上に表示させることができる。
【０１０４】
▲１▼  直線の描画
直線を描く場合、ユーザは、描画ツールバー１６００中の直線ボタン１６０２を指先でタッチした後、直線の始点となるタッチ面２０１の任意の場所を指先でタッチしてそのまま終点となる場所まで指先を移動させ、指先をタッチ面２０１から離せば良い。その結果、図２０に示すように、電子黒板画面１４００上に直線が描画される。
【０１０５】
▲２▼  四角形の描画
四角形を描く場合、ユーザは、描画ツールバー１６００中の四角形ボタン１６０３を指先でタッチした後、タッチ面２０１の任意の場所を指先でタッチし、そのまま任意の方向に指先を移動させ、指先をタッチ面２０１から離せば良い。その結果、図２１に示すように、電子黒板画面１４００上に四角形が描画される。
【０１０６】
また、電子黒板ソフト５０６においては、上述したようにして描画される四角形を使って簡単に表を作成できる機能が用意されている。まず、拡張ツールバー１５００中の背景設定ボタン１５０５にタッチして設定画面（図示せず）を表示させ、電子黒板画面１４００の背景にグリッドを表示させるという設定を行う。この際、グリッドの縦および横の間隔，左開始位置および上開始位置を指定することができる。加えて、グリッドを使って表を作成する際の便宜を図るため、描画した四角形がグリッドに一致するように表示するという設定も用意されている。
【０１０７】
グリッドに関する設定を行うと、図２２に示すように電子黒板画面１４００にグリッドが表示される。そして、上述したようにして四角形を繰り返し描画することにより、図２３に示すような表を作成することができる。なお、グリッドの設定を行う際に、描画した四角形がグリッドに一致するように表示するという設定を行っておくと、電子黒板ソフト５０６はグリッドに沿って四角形を描画する処理を実行する。
【０１０８】
▲３▼  楕円の描画
楕円を描く場合、ユーザは、描画ツールバー１６００中の楕円ボタン１６０４を指先でタッチした後、タッチ面２０１の任意の場所を指先でタッチし、そのまま任意の方向に指先を移動させ、指先をタッチ面２０１から離せば良い。その結果、図２４に示すように、電子黒板画面１４００上に楕円が描画される。
【０１０９】
▲４▼  描画した図形の変形
描画した図形を変形する場合、ユーザは、描画ツールバー１６００中の選択ボタン１６０１を指先でタッチした後、変形したい図形の線の上をタッチして図形を選択する。その結果、図２５（ａ）に示すように、選択された図形の上下左右斜めに四角いマーク（ハンドル）２５００が表示される。
【０１１０】
そして、ユーザが指先でいずれか一つのハンドル２５００にタッチし、そのまま指先を移動すると、その動きに合わせて図形の大きさや形状を変化させることができる。図２５（ｂ）は、図２５（ａ）に示すハンドル２５００のうち、右下のハンドル２５００を移動して図形を拡大した様子を示している。
【０１１１】
▲５▼  描画した図形の移動
描画した図形を移動する場合、ユーザは、描画ツールバー１６００中の選択ボタン１６０１を指先でタッチした後、変形したい図形の線の上をタッチして図形を選択する。その結果、図２６（ａ）に示すように、選択された図形の上下左右斜めにハンドル２５００が表示される。
【０１１２】
そして、ユーザが指先で図形の線をタッチし、そのまま指先を移動すると、その動きに合わせて図形を移動させることができる。図２６（ｂ）は、図２６（ａ）に示す図形を右方向に移動した様子を示している。
【０１１３】
▲６▼  描画した図形の編集
ここで、描画した図形の編集とは、図形の切り取りやコピー等を意味する。まず、描画した図形を切り取って任意の位置に貼り付ける場合、ユーザは、描画ツールバー１６００中の選択ボタン１６０１を指先でタッチした後、切り取りたい図形の線の上をタッチして図形を選択する。そして、描画ツールバー１６００中の編集ボタン１６０５に指先でタッチすると、図２７に示す編集メニュー２７００が電子黒板画面１４００上に表示される。その後、ユーザが編集メニュー２７００中の「切り取り」にタッチすると、選択された図形が切り取られる。
【０１１４】
切り取った図形を貼り付けるには、再度編集メニュー２７００を表示させて「貼り付け」にタッチした後、電子黒板画面１４００上の任意の場所にタッチすると、切り取った図形がタッチした場所に貼り付けられる。
【０１１５】
なお、現在表示されているページではなく、他のページに切り取った図形を貼り付けたい場合には、拡張ツールバー１６００中の前ページボタン１４０５または次ページボタン１４０７にタッチして所望のページを表示させた後、上述した貼り付け操作を行えば良い。
【０１１６】
また、描画した図形をコピーして任意の場所に貼り付ける場合には、編集メニュー２７００の「コピー」にタッチする以外は上述した切り取りの場合と同様の操作を行えば良い。
【０１１７】
つぎに、描画した図形を削除する場合について説明する。図形の切り取り操作で説明したように、削除したい図形を選択して編集メニュー２７００を表示させる。そして、編集メニュー２７００の「削除」にタッチすると、選択された図形が削除される。
【０１１８】
なお、描画した図形を全て選択して切り取り・コピー・削除を行いたい場合は、編集メニュー２７００の「すべて選択」にタッチすると、描画した図形の全てが選択され、全ての図形を対象とした切り取り・コピー・削除の操作を行うことができる。なお、「すべて選択」にタッチすると、全ての図形にハンドルが表示されるため、全ての図形を指先で移動させることができる。
【０１１９】
５）新たなページの作成
電子黒板画面１４００として現在表示されているページ以外に新たなページを作成する場合、ユーザはツールバー１４０１（または拡張ツールバー１５００）の次ページボタン１４０７にタッチすれば良い。電子黒板ソフト５０６は、次ページボタン１４０７がタッチされると、新たなページを生成して電子黒板画面１４００として表示する。
【０１２０】
なお、現在複数のページが作成されている場合には、次ページボタン１４０７をタッチして最終ページを表示した後、再度次ページボタン１４０７をタッチすれば、新たなページを作成することができる。
【０１２１】
また、前のページを開きたい場合、ユーザはツールバー１４０１（または拡張ツールバー１５００）の前ページボタン１４０５にタッチすれば良い。電子黒板ソフト５０６は、前ページボタン１４０５がタッチされると、該当するページを電子黒板画面１４００として表示する。
【０１２２】
６）以前に作成したファイルを開く
以前に作成したファイルを開くには、拡張ツールバー１５００のファイルボタン１５０１をタッチしてファイルメニュー（図示せず）を表示させ、ファイルメニュー中の「開く」にタッチして図２８に示すダイアログボックス２８００を表示させる。そして、所望のファイル名をタッチして選択し、「開く」ボタン２８０１をタッチすることにより、該当するファイルのページが電子黒板画面１４００として表示される。なお、いわゆる「ダブルクリック」のように、ファイル名を続けて２回タッチ（以下、「ダブルタッチ」と記述する）することによってもファイルを開くことができる。
【０１２３】
また、以前に作成したファイルの内容がわからなくなってしまったような場合、ファイルサムネイル機能を使用してファイルの一覧を表示し、内容を確認し、目的のファイルを開くという操作を行うことができる。ファイルサムネイル機能を利用するには、ダイアログボックス２８００中の「サムネイル」ボタン２８０２をタッチすることにより、図２９に示すようにサムネイルダイアログボックス２９００が表示され、その中にファイルの一覧がサムネイル表示される。ここで表示されるサムネイル画像は、各ファイルの先頭ページである。そして、所望のサムネイルをタッチして選択し、「開く」ボタン２９０１をタッチすることにより、または所望のサムネイル画像をダブルタッチすることにより、該当するファイルのページが電子黒板画面１４００として表示される。
【０１２４】
なお、新規ファイルを作成するには、拡張ツールバー１５００のファイルボタン１５０１をタッチしてファイルメニュー（図示せず）を表示させ、ファイルメニュー中の「新規作成」にタッチすれば新規ページが電子黒板画面１４００に表示される。
【０１２５】
７）ワードプロセッサ・表計算ソフト・プレゼンテーションソフトの画面を取り込む（キャプチャ機能）
電子黒板ソフト５０６は、ワードプロセッサ・表計算ソフト・プレゼンテーションソフトで作成したファイルの内容を電子黒板画面１４００の背景として取り込むための「キャプチャ」機能を有している。以下に、このキャプチャ機能を用いてワードプロセッサや表計算ソフト、プレゼンテーションソフトの画面を取り込む処理を説明する。
【０１２６】
まず、ユーザがツールバー１４０１（または拡張ツールバー１５００）のコンピュータ画面ボタン１４０２をタッチすることにより、図３０に示すように、ＰＤＰ１０１の表示が電子黒板画面１４００からコンピュータ画面３０００に切り換えられる。図３０において、３００１は、コンピュータ画面３０００に切り換えられた際に表示されるキャプチャツールバーである。キャプチャツールバー３００１中の各ボタンの機能は以下の通りである。
【０１２７】
・電子黒板画面ボタン３００２：
コンピュータ画面３０００から電子黒板画面１４００に切り換わる。
・キャプチャボタン３００３：
コンピュータ画面３０００上に表示された画面をキャプチャする。
・マウスボタン３００４：
２ボタン式のマウスの右ボタンを利用できるような環境（例えば、マイクロソフト社のＷｉｎｄｏｗｓ（登録商標）をＯＳとして利用している場合など）において、マウスの右ボタンに割り当てられた機能を利用可能にする。
【０１２８】
そして、ユーザは、図３０に示すコンピュータ画面３０００において、所望のアプリケーション・プログラムのアイコンまたは所望のファイルのアイコンにタッチ（ダブルタッチ）して該当するアプリケーション・プログラムを起動させると共に、目的のファイルをＰＤＰ１０１に表示させた後、キャプチャボタン３００３にタッチする。その結果、電子黒板ソフト５０６は、現在表示されている画面をキャプチャし、図３１に示すように、ＰＤＰ１０１の表示を電子黒板画面１４００に切り換えると共に、キャプチャした画面を電子黒板画面１４００の背景として表示する。
【０１２９】
そして、図３２に示すように、ユーザは前述した方法で文字や図形を電子黒板画面１４００上に書きこむことができる。このように、ワードプロセッサ・表計算ソフト・プレゼンテーションソフト等の画面を電子黒板画面１４００の背景として簡単に取り込むことができるため、電子黒板システム１００を用いて効果的なプレゼンテーションを行うことが可能となる。
【０１３０】
つまり、電子黒板システム１００でプレゼンテーションソフトを用いてプレゼンテーションを行っている際、画面上に何か書き込んで説明したい場合にキャプチャボタン３００３をタッチすれば、直ちに現在の画面がキャプチャされ、図３１に示すような電子黒板画面１４００に切り換わり、画面上に所望の事項を書きこむことができる。そして、プレゼンテーションソフトに戻りたい場合、コンピュータ画面ボタン１４０２をタッチすることにより、直ちにプレゼンテーションソフトの画面（コンピュータ画面３０００）に切り換わる。キャプチャして文字等を書き込んだ画面は後述するように保存することが可能である。
【０１３１】
なお、ここでは、一旦コンピュータ画面３０００を表示させ、アプリケーションプログラムを起動させた後に所望の画面をキャプチャするという方法について説明したが、電子黒板ソフト５０６から直接ワードプロセッサや表計算ソフトのファイルを指定することにより、電子黒板画面１４００から直接該当するアプリケーション・プログラムを起動させて指定したファイルを開くこともできる。そして、そのアプリケーション・プログラムの画面をキャプチャしたい場合は、前述した操作と同様の操作を行えば良い。さらに、そのアプリケーション・プログラムの他の画面をキャプチャした場合は、次ページボタン１４０７にタッチすれば、再びそのアプリケーション・プログラムの画面をＰＤＰ１０１上に表示させることができる。
【０１３２】
８）作成中のページを一覧表示する
電子黒板ソフト５０６においては、現在作成している全てのページをサムネイルで表示することができる。サムネイル表示によるページ一覧を表示する場合、ユーザはツールバー１４０１（または拡張ツールバー１５００）のサムネイルボタン１４０９をタッチする。電子黒板ソフト５０６は、サムネイルボタン１４０９がタッチされると、図３３に示すように、作成中のページをサムネイル表示したサムネイル表示ダイアログボックス３３００を電子黒板画面１４００上に表示する。
【０１３３】
このサムネイル表示ダイアログボックス３３００において、３３０１は開くボタンを、３３０２は閉じるボタンを、３３０３は前に移動ボタンを、３３０４は次に移動ボタンを、３３０５は前に挿入ボタンを、３３０６は次に挿入ボタンを、３３０７は削除ボタンを、３３０８は印刷ボタンをそれぞれ示している。
【０１３４】
サムネイル表示ダイアログボックス３３００が表示されると、ユーザは以下のような操作を行うことができる。
【０１３５】
▲１▼  ページを指定して開く
サムネイル表示ダイアログボックス３３００中の所望のサムネイル（ページ）をタッチして選択し、開くボタン３３０１をタッチすることにより選択したページを電子黒板画面１４００として表示することができる。また、所望のページをダブルタッチすることにより、同様にそのページを電子黒板画面１４００として表示することができる。
【０１３６】
▲２▼  ページの移動
サムネイル表示ダイアログボックス３３００中の移動させたいページをタッチして選択し、現在のページより前に移動する場合には前に移動ボタン３３０３をタッチし、現在のページより後ろに移動する場合には次に移動ボタン３３０４をタッチする。このようにページを移動させることにより、ページの入れ替え操作を行うことができる。
【０１３７】
▲３▼  新たなページを挿入する
サムネイル表示ダイアログボックス３３００において新たに挿入するページの前ページまたは次ページとなるページをタッチして選択し、選択したページより前に挿入する場合には前に挿入ボタン３３０５をタッチし、選択したページより後ろに挿入する場合には次に挿入ボタン３３０６をタッチする。このような操作により、所望の位置に新たなページを挿入することができる。
【０１３８】
なお、最終ページを選択し、次に挿入ボタン３３０６をタッチすることにより、前述した次ページボタン１４０７をタッチして新たなページを作成する操作と同様の操作を行うことができる。
【０１３９】
▲４▼  ページを削除する
サムネイル表示ダイアログボックス３３００中の削除したいページをタッチして選択し、削除ボタン３３０７をタッチすることにより、選択したページを削除することができる。
【０１４０】
▲５▼  ページを印刷する
サムネイル表示ダイアログボックス３３００中の印刷したいページをタッチして選択し、印刷ボタン３３０８をタッチすることにより、選択したページを印刷することができる。なお、印刷を実行する際には種々の設定を行うことができる。印刷設定については後述する。
【０１４１】
９）作成したページを保存する
前述したようにして、電子黒板ソフト５０６上で作成したページをファイルとして保存することができる。保存する場合、拡張ツールバー１５００の保存ボタン１５０２をタッチし、上書き保存および名前を付けて保存のいずれかを選択する。名前を付けて保存が選択されるた場合、電子黒板ソフト５０６はデフォルトとして現在の年月日および当日の通し番号からなるファイル名を提示する。ユーザは必要に応じてファイル名の入力およびフォルダの指定を行い、保存を指示することにより、作成したページをファイルとして保存することができる。なお、ファイル名はキーボード５０３（図５参照）を用いて入力することができる。
【０１４２】
一方、上書き保存が選択された場合、電子黒板ソフト５０６は該当するファイルに上書きして保存する。
【０１４３】
なお、電子黒板ソフト５０６は、電子黒板画面１４００を複数のレイヤに分けて管理している。例えば、電子黒板画面１４００の背景（キャプチャした画面を含む：ビットマップデータ）を管理する背景レイヤ，グリッド線（ベクトルデータ）を管理するグリッドレイヤ，図形描画ツールで描画した図形（ベクトルデータ）を管理する図形レイヤ，手書き文字や図形（ベクトルデータ）を管理する手書きレイヤ等である。そして、前述した保存が指定された場合、電子黒板ソフト５０６はこれらのレイヤを維持したまま一つのファイルを生成する。したがって、再度読み出した際に、各ページの内容を簡単に加工することができる。また、設定によっては、複数のレイヤのデータを一つのビットマップデータにし、ビットマップファイルとして保存することも可能である。
【０１４４】
１０）その他
拡張ツールバー１５００の表示ボタン１５０３にタッチしてメニューを開くことにより、電子黒板画面１４００に表示されている文字等の表示倍率やウインドウ表示した際の電子黒板画面１４００の表示方法を設定することができる。
【０１４５】
また、拡張ツールバー１５００の背景設定ボタン１５０５にタッチしてメニューを開くことにより、カラーパレットを用いて電子黒板画面１４００の背景色を設定することができる。
【０１４６】
さらに、拡張ツールバー１５００のオプションボタン１５０６にタッチしてメニューを開くことにより、電子黒板ソフト５０６で使用するファイルをまとめて格納しておく作業フォルダの設定を行うことができる。
【０１４７】
（３）電子黒板で作成したデータを印刷する場合
図３４は、電子黒板システム１００の印刷処理部のブロック構成図である。図３４に示す印刷処理部３４００は、印刷条件を設定する印刷条件設定部３４０１と、印刷条件設定部３４０１で設定された印刷条件に基づいて、出力対象となる画像データに所定の画像処理を施す画像処理部３４０２と、画像処理部３４０２で画像処理が施された画像データの描画処理を制御する描画処理部３４０３と、描画処理部３４０３から画像データを入力し、入力した画像データに基づいてプリンタ１０６（図１参照）に対するプリントデータを生成して出力するプリンタドライバ３４０４と、を備えている。
【０１４８】
図３４に示す印刷処理部３４００において、例えば、印刷条件設定部３４０１および画像処理部３４０２は電子黒板ソフト５０６を構成するモジュールであり、描画処理部３４０３はＯＳ５０５を構成するモジュールであり、プリンタドライバ３４０４は使用するプリンタ１０６に合わせてシステム中にインストールされたものである。
【０１４９】
電子黒板ソフト５０６上で現在作成中のページを印刷する場合、ユーザはツールバー１４０１（または拡張ツールバー１５００）の印刷ボタン１４０８にタッチして印刷メニュー（図示せず）を開き、印刷メニュー中の「印刷」にタッチする。ユーザが印刷メニューの「印刷」をタッチすると、印刷条件設定部３４０１は、図３５に示す印刷ダイアログボックス３５００を電子黒板画面１４００上に表示する。ユーザは、この印刷ダイアログボックス３５００中のプリンタ設定欄３５０１，印刷範囲設定欄３５０２および印刷部数設定欄３５０３において印刷範囲や印刷部数を指定し、ＯＫボタン３５０４にタッチする。ユーザがＯＫボタン３５０４をタッチすると、印刷条件設定部３４０１は、印刷ダイアログボックス３５００を介して設定された印刷条件を画像処理部３４０２に入力する。
【０１５０】
画像処理部３４０２は、入力した印刷条件に従い、後述する各種条件が設定されている場合には設定された条件に基づいて印刷する画像データに所定の画像処理を施し、印刷要求と共に画像データを描画処理部３４０３に入力する。描画処理部３４０３は、入力した画像データにカラーマッチング等の処理を施し、プリンタドライバ３４０４は、描画処理部３４０３から画像データを入力し、プリンタ１０６に合ったプリントデータを生成して、図１に示したプリンタ１０６に入力する。
【０１５１】
このようにして、電子黒板ソフト５０６上で作成中のページを印刷することができる。なお、印刷を中止する場合、ユーザはキャンセルボタン３５０５にタッチすれば良い。また詳細な説明については省略するが、印刷する記録紙のサイズ，余白等の設定を行ったり、印刷イメージを表示することもできる。
【０１５２】
続いて、本発明の特徴であるプリンタのトナーやインク等の消費量を効果的に低減するための画像印刷処理（画像印刷方法）について説明する。この画像印刷処理の設定は、印刷ダイアログボックス３５００中の印刷色設定欄３５０６において行うことができる。
【０１５３】
印刷色設定欄３５０６において、３５０７は「最大画像領域の色を白で印刷」チェックボックスである。「最大画像領域の色を白で印刷」チェックボックス３５０７をチェックすると、１画面分または１ページ分の画像データのうち、同一の色情報で塗り潰す最大画像領域の色情報を白色に変更して印刷する処理が実行される。
【０１５４】
以下に、図３６に示す電子黒板画面１４００上の画像（１画面分または１ページ分の画像）を例にとって、「最大画像領域の色を白で印刷」チェックボックス３５０７がチェックされた場合の画像印刷処理（画像印刷方法）を図３７のフローチャートを参照しつつ説明する。
【０１５５】
図３６は、画像が描かれた電子黒板画面１４００の一例を示し、３６００は前述した図形描画ツールを用いて描画された円グラフであり、円グラフ３６００中に赤で塗り潰された領域３６０１および青で塗り潰された領域３６０２が存在している。また、３６０３は、ペンツールで書かれた手書き文字（フリーハンド線）を示し、ここでは「Ａ社」および「Ｂ社」が手書き文字３６０３に該当する。３６０４は電子黒板画面１４００上の背景領域を示し、この背景領域３６０４には緑が設定されており、背景領域３６００は緑で塗り潰されている。なお、図３６の網掛けは各領域を塗り潰す色に該当する。
【０１５６】
ユーザは、図３６に示した電子黒板画面１４００分の画像データ（１ページ分の画像データ）を印刷するため、図３５に示した印刷ダイアログボックス３５００を開いて印刷色設定欄３５０６のチェックボックス３５０７をチェックし、画像データの色情報の変更を設定する（Ｓ３７０１）。
【０１５７】
ユーザが図３５中のＯＫボタン３５０４をタッチして印刷の実行を指定すると、画像処理部３４０２は、印刷ダイアログボックス３５００を介して設定された設定情報（印刷条件）を印刷条件設定部３４０１から入力し、チェックボックス３５０７がチェックされているか確認する。チェックボックス３５０７がチェックされている場合、画像処理部３４０２は、出力対象となる電子黒板画面１４００分（１ページ分）の画像データのうち、同一の色情報で塗り潰す最大画像領域を抽出する（Ｓ３７０２）。
【０１５８】
図３６における同一の色情報で塗り潰す画像領域には、赤の色情報で塗り潰す領域３６０１，青の色情報で塗り潰す領域３６０２および緑の情報で塗り潰す背景領域３６０４があり、これらの画像領域の大きさは、領域３６０２＜領域３６０１＜背景領域３６０４となっているものとする。この場合、画像処理部３４０２は、電子黒板画面１４００分の画像データを調査し、背景領域３６０４が同一の色情報で塗り潰す最大画像領域であることを特定する。
【０１５９】
続いて、画像処理部３４０２は、抽出した最大画像領域である背景領域３６０４の色情報を白色に変更する処理を実行する（Ｓ３７０３）。つまり、図３６の電子黒板画面１４００分の画像が記録紙に印刷された場合、背景領域３６０４に該当する部分の色は記録紙の地色となる。
【０１６０】
画像処理部３４０２は、最大画像領域の色情報を変更した後、印刷要求と共に画像データを描画処理部３４０３に入力する。その結果、描画処理部３４０３およびプリンタドライバ３４０４で所定の処理が実行され、プリンタ１０６において、最大画像領域の色情報を変更した後の画像データが記録紙上に出力される（Ｓ３７０４）。
【０１６１】
図３８は、図３６に示した電子黒板画面１４００分の画像データが記録紙に出力された様子を示す説明図である。図３８に示すように、記録紙３８００上では、領域３６０１および領域３６０２がそれぞれ赤および青で塗り潰されて印刷されている。ところが、最大画像領域である背景領域３６０４の色情報を白色にした結果、背景領域３６０４に対応する領域３８０１は記録紙３８００の地色となっている。
【０１６２】
図３６に示した例では、各画像領域の大きさが領域３６０２＜領域３６０１＜背景領域３６０４という関係にあるとしたため、背景領域３６０４の色情報が白色に変更されることになったが、例えば円グラフ３６００中の領域３６０１が最大画像領域である場合は、領域３６０１の色情報が白色に変更される。したがって、この場合の印刷結果としては、図３８と異なり、領域３６０２が赤、背景領域３６０４に対応する領域３８０１が緑で印刷されるが、領域３６０１は記録紙３８００の地色となる。
【０１６３】
また、図３６に示した場合と異なり、背景領域３６０４に色情報が設定されていない場合、同一の色情報で塗り潰す最大画像領域の判断対象となる画像領域は円グラフ３６００の領域３６０１および領域３６０２となる。図３６の例では、領域３６０１の方が領域３６０２より大きいため、図３７のステップＳ３７０３において領域３６０１の色情報が白色に変更される。したがって、この場合は、図３９に示すように領域３６０２のみに色が印刷されて出力される。
【０１６４】
このように、同一の色情報で塗り潰す最大画像領域を抽出し、その領域の色情報を白色にするため、プリンタ１０６のトナーやインク等の消費量を効果的に低減することができる。
【０１６５】
なお、チェックボックス３５０７をチェックした状態で複数ページを同時に印刷する場合は、同一の色情報で塗り潰す最大画像領域を抽出し、その領域の色情報を白色にするという処理が各ページ毎に実行され、各ページ毎にトナーやインク等の消費量を低減するための処理が実行される。
【０１６６】
再び、図３５に示す印刷ダイアログボックス３５００中の印刷色設定欄３５０６の説明に戻る。印刷色設定欄３５０６において、３５０８は、電子黒板画面１４００の背景色を白地に設定して印刷するための「背景色を白で印刷」チェックボックスである。このチェックボックス３５０８をチェックしておくと、背景領域３６０４の色情報を白色に変更して、または背景の設定がなかったものとみなして印刷処理が実行される。したがって、チェックボックス３５０８をチェックして図３６に示した電子黒板画面１４００分の画像データを印刷すると、図３８に示したような印刷結果を得ることができる。
【０１６７】
また、「最大画像領域の色を白で印刷」および「背景色を白で印刷」という２つチェックボックス３５０７・３５０８をチェックして図３６に示した電子黒板画面１４００分の画像データを印刷すると、図３９に示すような印刷結果を得ることができる。
【０１６８】
さらに、印刷色設定欄３５０６において、３５０９は、手書きで書いた線を黒にして印刷する「フリーハンド線を黒で印刷」チェックボックスを示している。このチェックボックス３４０７をチェックして印刷処理を実行した場合、画像処理部３４０２は、手書きで書かれた線の色情報が例えば赤である場合であっても、その色情報を黒に変更する。したがって、電子黒板画面１４００上に手書きで書かれた線はすべて黒色で印刷されることになる。
【０１６９】
（４）システムをコンピュータとして使用する場合
電子黒板システム１００をコンピュータとして使用するには、前述したキャプチャ機能を利用する場合のように、電子黒板画面１４００においてコンピュータ画面ボタン１４０１にタッチし、または電子黒板ソフト５０６を終了させる等によって図３０に示したようなコンピュータ画面３０００に切り換える。ＰＤＰ１０１の表示をコンピュータ画面３０００に切り換えることにより、電子黒板システム１００をコンピュータとして利用することができる。電子黒板システム１００は、大画面のＰＤＰ１０１を有しているため、コンピュータの操作の教育等にも有効に活用することが可能である。
【０１７０】
また、タッチ入力装置１０２をマウスのようなポインティングデバイスとして利用できるため、画面上で各種アプリケーションプログラムを操作することができる。さらに、図３０に示したマウスボタン３００４にタッチすることにより、２ボタン式のマウスの右ボタンを利用できるような環境において、マウスの右ボタンに割り当てられた機能を指先やタッチペンで利用することが可能になる。
【０１７１】
（５）タッチ入力装置の調整
図５に示したタッチパネルドラバ５０７には、ＰＤＰ１０１上のマウスカーソルの表示位置と、タッチ面２０１に指先やタッチペンでタッチしたタッチ位置とを一致させるためツールが用意されている。以下では、マウスカーソルの表示位置とタッチ位置とを一致させる位置補正操作について説明する。
【０１７２】
図４０は、タッチ入力装置１０２の設定画面の一例を示す説明図である。図４０に示す設定画面４０００中のキャリブレイトボタン４００１にタッチすると、ＰＤＰ１０１上にＰＤＰ１０１の表示画面とタッチ入力装置１０２におけるタッチ面２０１の座標を調整する補正画面が表示される。この表示画面は、例えば、ＰＤＰ１０１の左上・右上・右下等に３つの補正点を表示するものである。ユーザは、ＰＤＰ１０１上の３つの点に指先やタッチペンでタッチすれば良い。
【０１７３】
タッチパネルドライバ５０７は、ユーザによって３つの補正点がタッチされると、タッチされた位置に基づいてマウスカーソルの表示位置とタッチ位置とを一致させる位置補正処理を実行し、位置補正した結果を所定のファイルに保存する。
【０１７４】
ただし、前述した位置補正操作は、実際に電子黒板システム１００を製品として出荷する際にあらかじめ行われることになるため、解像度等を変更しない限り、ユーザが位置補正操作を行う必要はない。
【０１７５】
なお、設定画面４０００中の他の設定項目の概略について説明しておく。４００２は、マウスボタン・エミュレーション・モード設定欄であり、指先やタッチペンでタッチ面２０１がタッチされた際にどのような処理を行うかを設定するものである。マウスボタン・エミュレーション・モード設定欄４００２では、例えば、
▲１▼  指先やタッチペンでタッチ面２０１をタッチしたときにクリックとみなす設定，
▲２▼  指先やタッチペンでタッチ面２０１をタッチして離した時にクリックとみなす設定，
▲３▼  タッチ面２０１を指先やタッチペンでタッチしたまま動かしたときをドラッグとみなす設定，
▲４▼  指先やタッチペンでタッチ面２０１を２回連続的にタッチ（ダブルタッチ）した場合にダブルクリックとみなすと共に、タッチ面２０１を指先やタッチペンでタッチしたまま動かしたときをドラッグとみなす設定（電子黒板ソフト５０６を使用する際にはこの設定にする）
等を行うことができる。
【０１７６】
また、４００３は、タッチ音の出力設定チェックボックスを示し、このチェックボックス４００３をチェックしておくと、タッチ面２０１をタッチする毎にビープ音が出力されるようになる。４００４は、設定ボタンであり、設定ボタン４００４にタッチするとコントローラ１０３の接続方法を設定する画面が表示される。さらに、４００５はコントローラ１０３およびタッチパネルドライバ５０７に関する情報を表示する情報ボタンを、４００６はヘルプ画面を表示するヘルプボタンを、４００７は設定画面４０００中に設定した事項を有効にするＯＫボタンを、４００８は設定画面４０００中に設定した事項を無効にするキャンセルボタンをそれぞれ示している。
【０１７７】
（６）ＡＶ機器の利用
図１に示したように、電子黒板システム１００のＰＤＰ１０１にはビデオプレイヤー１０８をはじめ、レーザディスクプレイヤー，ＤＶＤプレイヤー，ビデオカメラ等の各種情報機器やＡＶ機器を接続し、映像・音声を再生することができる。また、ＰＤＰ１０１には、アンプを介して外部スピーカーも接続することができ、大画面のディスプレイで迫力ある音声も楽しむことが可能である。上記情報機器やＡＶ機器またはコンピュータ１０４からＰＤＰ１０１に対して入力する入力信号は、図示しないリモコン等を用いて簡単に切り換えることができる。
【０１７８】
このように、コンピュータ１０４を介さずに各種情報機器やＡＶ機器をＰＤＰ１０１に接続して操作でき、ＰＤＰ１０１を大画面モニタとして利用することができるため、他にテレビ等を用意する必要がなく、電子黒板システム１００の操作性・取扱性・利便性の向上を図ることができる。
【０１７９】
（７）ネットワーク接続
さらに、図４１に示すように、電子黒板システム１００をＬＡＮやインターネットのようなネットワークに接続することができる。したがって、電子黒板ソフト５０６で作成した会議の資料等を他のコンピュータに送信すること、他のコンピュータで作成したデータを読み込んで会議に利用すること、複数の電子黒板システム１００を接続して遠隔会議を行うこと、テレビ会議システムに応用すること等、電子黒板システム１００の応用範囲を拡大することができる。また、ＰＨＳを用いて無線により電子黒板システム１００をネットワークに接続することもできる。
【０１８０】
３．効果
このように、実施の形態１に係る電子黒板システム１００（画像印刷方法）によれば、画像印刷時に特定の画像データの色情報の変更を設定すると、出力対象となる１画面分または１ページ分の画像データのうち、同一の色情報で塗り潰す最大画像領域の色情報を白色に変更して、記録紙に印刷するため、トナーやインク等の消費量の低減を効率的に行うことができる。
【０１８１】
また、前述した電子黒板システム１００は、上記印刷に関する事項以外に以下のような効果を奏する。すなわち、ＰＤＰ１０１およびタッチ入力装置１０２を用いて電子黒板の表示面および書き込み面を構成するボード部６０１と、鉛直方向の下からコンピュータ１０４，ビデオプレイヤー１０８，プリンタ１０６を順に収納する機器収納部６０４とを備えた筐体ユニット６００を用いて電子黒板システム１００が構成されるため、筐体ユニット６００を移動させるだけで、システムの移動・設置を容易に行うことができる。また、重力方向（鉛直方向）の下から順に、重量の大きな装置を配置しているため、移動時および設置時の筐体ユニット６００の安定を確保することができる。さらに、超音波表面弾性波方式のタッチ入力装置１０２においてＰＤＰ１０１側の面に電磁波を遮蔽するシールドテープ３００を設けたため、表示装置としてＰＤＰ１０１を用いることができ、表示装置の薄型化（小型化）および表示画面の輝度の向上を図ることができる。すなわち、実施の形態１に係る電子黒板システム１００によれば、電子黒板システム１００全体の小型化・一体化を図ると共に、操作性・取扱性・利便性の向上を図ることができる。
【０１８２】
また、ＰＤＰ１０１およびタッチ入力装置１０２を収納したボード部６０１の角度を調整する角度調整機構部８０２を備えたため、ＰＤＰ１０１の表示面に対する外乱光の入射、特に、天井にある蛍光灯等の照明器具からの光を避けることができ、画面が見やすくなり、利便性の向上を図ることができる。
【０１８３】
さらに、デジタルカメラ、ＤＶＤプレイヤー、ビデオ機器等の各種情報機器や、ＡＶ機器を接続するための複数の接続端子を用いて、ＰＤＰ１０１を大画面モニタとして使用可能であるため、コンピュータ１０４を介さずに、各種情報機器、ＡＶ機器の接続および操作が行える電子黒板システム１００を提供することができる。
【０１８４】
〔実施の形態２〕
つぎに、実施の形態２に係る電子黒板システムについて説明する。なお、ここでは実施の形態１で説明したプリンタのトナーやインク等の消費量を効果的に低減するための画像印刷処理の他の例についてのみ説明することにし、電子黒板システムの構成および他の動作については実施の形態１の通りであるため説明を省略する。
【０１８５】
図４２は、印刷ダイアログボックス３５００を示す説明図である。実施の形態２の印刷ダイアログボックス３５００における印刷色設定欄３５０６には、「文字の色を１色にし、文字・輪郭線以外の画像を白で印刷」チェックボックス４２００が設けられている。このチェックボックス４２００は、文字情報に相当する画像データの色情報を特定の１色の色情報に変更し、文字情報および輪郭線を除くその他の画像データの色情報を白色にして印刷するという設定を行うためのものである。
【０１８６】
ここにいう文字情報は、文字コードに基づいて表示された文字を意味する。詳細な説明については省略するが、実施の形態１で説明した電子黒板システム１００に文字認識機能を設けることにより、タッチ入力装置１０２で入力した手書き文字を文字認識処理し、文字コードに基づいて電子黒板画面１４００上に文字を表示することが可能となる。図４２に示したチェックボックス４２００は、このような文字情報が存在する電子黒板画面１４００分（１ページ分）の画像データを印刷する際に、プリンタのトナーやインク等の消費量を効率的に低減するため画像処理方法を設定するためのものである。
【０１８７】
以下に、図４３に示す電子黒板画面１４００上の画像（１画面分または１ページ分の画像）を例にとって、「文字の色を１色にし、文字・輪郭線以外の画像を白で印刷」チェックボックス４２００がチェックされた場合の画像印刷処理（画像印刷方法）を図４４のフローチャートを参照しつつ説明する。
【０１８８】
図４３は、文字情報を含む電子黒板画面１４００（印刷対象）の一例を示している。図４３において、４３００は実施の形態１で説明したキャプチャ機能を利用し、電子黒板画面１４００の背景として取り込んだキャプチャ画面を示している。このキャプチャ画面４３００は、他のアプリケーションプログラムで作成した円グラフ４３０１を含み、円グラフ４３０１は赤で塗り潰された領域４３０２，青で塗り潰された領域４３０３を含んでいる。なお、４３０４は、円グラフ４３０１中の領域４３０２および４３０３の輪郭線を示し、各領域４３０２および４３０３中の網掛けは各領域４３０２および４３０３を塗り潰す色に該当する。また、４３０５は文字情報の一例としての文字認識された認識文字を示し、ここでは「Ａ社」および「Ｂ社」が文字情報４３０５に該当し、文字情報「Ａ社」は緑色の色情報を有し、文字情報「Ｂ社」は黄色の色情報を有しているものとする。
【０１８９】
ユーザは、図４３に示した電子黒板画面１４００分の画像データ（１ページ分の画像データ）を印刷するため、図４２に示した印刷ダイアログボックス３５００を開いて印刷色設定欄３５０６のチェックボックス４２００をチェックし、画像データの色情報の変更を設定する（Ｓ４４０１）。このチェックボックス４２００をチェックすることにより、文字情報４３０５の色情報が特定の１色の色情報に変更され、文字情報４３０５および輪郭線４３０４を除くその他の画像データの色情報が白色に変更されて印刷される。変更後の文字情報４３０５の色情報についてはユーザが自由に設定することが可能であるが、ここでは黒色に変更することにする。
【０１９０】
その後、ユーザが印刷ダイアログボックス３５００中のＯＫボタン３５０４をタッチして印刷の実行を指定すると、図３４に示した画像処理部３４０２は、印刷ダイアログボックス３５００を介して設定された設定情報（印刷条件）を印刷条件設定部３４０１から入力し、チェックボックス４２００がチェックされたか確認する。チェックボックス４２００がチェックされている場合、画像処理部３４０２は、電子黒板画面１４００分の画像データのうち、文字情報４３０５に相当する画像データの色情報を黒色の色情報に変更する（Ｓ４４０２）。
【０１９１】
続いて、画像処理部３４０２は、電子黒板画面１４００分の画像データのうち、文字情報４３０５および輪郭線４３０４を除くその他の画像データの色情報を白色に変更する（Ｓ４４０３）。すなわち、キャプチャ画面４３００における円グラフ４３０１中の領域４３０２および４３０３の色情報は白色に変更される。
【０１９２】
画像処理部３４０２は、ステップＳ４４０２およびＳ４４０３で色情報を変更した後、印刷要求と共に画像データを描画処理部３４０３に入力する。その結果、描画処理部３４０３およびプリンタドライバ３４０４で所定の処理が実行され、プリンタ１０６において色情報を変更した後の画像データが記録紙上に出力される（Ｓ４４０４）。
【０１９３】
図４５は、図４３に示した電子黒板画面１４００分の画像データが記録紙４５００に出力された様子を示す説明図である。図４５に示すように、記録紙４５００上には、円グラフ４３０１の輪郭線４３０４および黒色の文字情報４３０５のみが出力されている。すなわち、円グラフ４３０１の領域４３０２および４３０３の色情報が白色に変更された結果、記録紙４５００における領域４３０２および４３０３の色は記録紙４５００の地色となっている。
【０１９４】
このように、実施の形態２に係る電子黒板システムによれば、文字情報４３０５に相当する画像データの色情報を特定の１色の色情報に変更し、文字情報４３０５および輪郭線４３０４を除くその他の画像データの色情報を白色にして印刷するため、プリンタ１０６のトナーやインク等の消費量を効果的に低減することができる。換言すれば、プリンタのトナーやインク等の消費量を効果的に低減しつつ、文字情報４３０５を確実に判読できる形態で印刷することができる。
【０１９５】
なお、チェックボックス４２００をチェックした状態で複数ページを同時に印刷する場合は、文字情報４３０５に相当する画像データの色情報を特定の１色の色情報に変更し、文字情報４３０５および輪郭線４３０４を除くその他の画像データの色情報を白色にする処理が各ページ毎に実行され、各ページ毎にトナーやインク等の消費量を低減するための処理が実行される。
【０１９６】
また、文字情報以外の画像に図４３に示したような輪郭線４３０４が存在しない場合については、画像処理部３４０２において、異なる色情報を持つ領域の境界に輪郭線を生成することにすれば良い。例えば、異なる色情報を持つ領域の境界上に境界線を生成することにしても良いし、各領域毎に領域の色を使って領域の外延を示す線を境界線として生成することにしても良い。
【０１９７】
また、輪郭線４３０４に該当する画像データの色情報についても、文字情報４３０５と同様に特定の１色に変更するようにしても良い。
【０１９８】
さらに、図４３に示したキャプチャ画面４３００に、ここにいう文字情報４３０５とは異なる画像としての文字が含まれている場合、画像処理部３４０２はこのような文字を輪郭線として処理することにより、このような文字の色情報が白に変更されてしまうことを防止できる。
【０１９９】
〔実施の形態３〕
つぎに、実施の形態３に係る電子黒板システムについて説明する。なお、ここでは実施の形態２と同様に、プリンタのトナーやインク等の消費量を効果的に低減するための画像印刷処理の他の例についてのみ説明する。
【０２００】
図４６は、印刷設定を行う際に電子黒板画面１４００上に表示される印刷ダイアログボックス３５００を示す説明図である。実施の形態３の印刷ダイアログボックス３５００における印刷色設定欄３５０６には、「上書き画像の色を１色にし、文字・輪郭線以外の画像を白で印刷」チェックボックス４６００が設けられている。このチェックボックス４６００は、タッチ入力装置１０２を介して入力した上書き画像に相当する画像データの色情報を特定の１色の色情報に変更し、上書き画像に相当する画像データおよび輪郭線を除くその他の画像データの色情報を白色にして印刷するという設定を行うためのものである。なお、タッチ入力装置１０２を介して入力した上書き画像には、実施の形態１で説明したように、ペンツールを用いて書かれた手書き文字および図形，ならびに図形描画ツールを用いて描画した図形が含まれる。
【０２０１】
以下に、図４７に示す電子黒板画面１４００上の画像（１画面分または１ページ分の画像）を例にとって、「上書き画像の色を１色にし、文字・輪郭線以外の画像を白で印刷」チェックボックス４６００がチェックされた場合の画像印刷処理（画像印刷方法）を図４８のフローチャートを参照しつつ説明する。
【０２０２】
図４７は、上書き画像を含む電子黒板画面１４００（印刷対象）の一例を示している。図４７において、４７００は実施の形態１で説明したキャプチャ機能を利用して取り込み、電子黒板画面１４００の背景として表示されたキャプチャ画面を示している。このキャプチャ画面４７００は、他のアプリケーションプログラムで作成した円グラフ４７０１を含み、円グラフ４７０１は赤で塗り潰された領域４７０２，青で塗り潰された領域４７０３を含んでいる。なお、４７０４は、円グラフ４７０１中の領域４７０２および４７０３の輪郭線を示し、各領域４７０２および４７０３中の網掛けは各領域４７０２および４７０３を塗り潰す色に該当する。また、４７０５は円グラフ４７０１中の文字（他のアプリケーションプログラムで作成した文字）を示し、ここでは「Ａ社」および「Ｂ社」が文字４７０５に該当する。さらに、４７０６は、上書き画像としてタッチ入力装置１０２を介して入力された手書き文字を示し、ここでは「本社東京」および「本社大阪」が上書き画像４７０６に該当し、「本社東京」は青、「本社大阪」は緑の色情報を有しているものとする。
【０２０３】
ユーザは、図４７に示した電子黒板画面１４００分の画像データ（１ページ分の画像データ）を印刷するため、図４６に示した印刷ダイアログボックス３５００を開いて印刷色設定欄３５０６のチェックボックス４６００をチェックし、画像データの色情報の変更を設定する（Ｓ４８０１）。このチェックボックス４６００をチェックすることにより、上書き画像４７０６に相当する画像データの色情報が特定の１色の色情報に変更され、上書き画像４７０６に相当する画像データおよび輪郭線４７０４を除くその他の画像データの色情報が白色に変更されて印刷される。なお、上書き画像４７０６の色情報をいずれかの色にするかについては、ユーザが自由に設定することが可能であるが、ここでは黒色に変更することにする。
【０２０４】
その後、ユーザが印刷ダイアログボックス３５００中のＯＫボタン３５０４をタッチすると、図３４に示した画像処理部３４０２は、印刷ダイアログボックス３５００を介して設定された設定情報（印刷条件）を印刷条件設定部３４０１から入力し、チェックボックス４６００がチェックされたか確認する。チェックボックス４６００がチェックされている場合、画像処理部３４０２は、電子黒板画面１４００分の画像データのうち、上書き画像４７０６に相当する画像データの色情報を特定の黒色の色情報に変更する（Ｓ４８０２）。
【０２０５】
続いて、画像処理部３４０２は、電子黒板画面１４００分の画像データのうち、上書き画像４７０６に相当する画像データおよび輪郭線４７０４を除くその他の画像データの色情報を白色に変更する（Ｓ４８０３）。すなわち、キャプチャ画面４７００における円グラフ４７０１中の領域４７０２および４７０３の色情報は白色に変更される。
【０２０６】
なお、画像処理部３４０３は、キャプチャ画面４７００中の文字４７０５を輪郭線４７０４と同様に処理するものとし、文字４７０５に該当する画像データの色情報を白色に変更しないようにする。文字４７０５に該当する画像データの色情報を白色に変更してしまうと、文字４７０５は記録紙上に出力されないことになってしまうからである。
【０２０７】
画像処理部３４０２は、ステップＳ４８０２およびＳ４８０３で色情報を変更した後、印刷要求と共に画像データを描画処理部３４０３に入力する。その結果、描画処理部３４０３およびプリンタドライバ３４０４で所定の処理が実行され、プリンタ１０６において色情報を変更した後の画像データが記録紙上に出力される（Ｓ４８０４）。
【０２０８】
図４９は、図４７に示した電子黒板画面１４００分の画像データが記録紙４５００に出力された様子を示す説明図である。図４９に示すように、記録紙４９００上には、円グラフ４７０１の輪郭線４７０４，文字４７０５および上書き画像４７０６のみが出力されている。すなわち、円グラフ４７０１の領域４７０２および４７０３の色情報が白色に変更された結果、記録紙４９００における領域４７０２および４７０３の色は記録紙４５００の地色となっている。
【０２０９】
このように、実施の形態３に係る電子黒板システムによれば、タッチ入力装置１０２を介して入力した上書き画像４７０６に相当する画像データの色情報を特定の１色の色情報に変更し、上書き画像４７０６に相当する画像データおよび輪郭線４７０４を除くその他の画像データの色情報を白色にして印刷するため、プリンタのトナーやインク等の消費量を効果的に低減することができる。換言すれば、プリンタのトナーやインク等の消費量を効果的に低減しつつ、上書き画像４７０６を確実に判読できる形態で印刷することができる。
【０２１０】
なお、チェックボックス４６００をチェックした状態で複数ページの印刷が指定された場合は、各ページ毎に図４８のステップ４８０２〜ステップＳ４８０４の処理が実行され、各ページ毎にトナーやインク等の消費量を低減するための処理が実行されることになる。
【０２１１】
また、輪郭線４７０４に該当する画像データの色情報についても、上書き画像４７０６と同様に特定の１色に変更するようにしても良い。
【０２１２】
また、上書き画像以外の画像に図４７に示したような輪郭線４７０４が存在しない場合については、画像処理部３４０２が異なる色情報を持つ領域の境界に輪郭線を生成することにすれば良い。例えば、異なる色情報を持つ領域の境界上に特定の色を用いて境界線を生成することにしても良いし、各領域毎に領域の色を使って各領域の外延を示す線を生成し、これを境界線としても良い。
【０２１３】
さらに、上書き画像４７０６と実施の形態２で説明した文字情報４３０５とが同一の電子黒板画面１４００上に存在する場合もあることを考慮して、一つのチェックボックスで実施の形態２および３で説明した両方の画像印刷処理を併せて実行できるようにしても良い。
【０２１４】
〔実施の形態４〕
つぎに、実施の形態４に係る電子黒板システムについて説明する。なお、ここでは実施の形態２および３と同様に、プリンタのトナーやインク等の消費量を効果的に低減するための画像印刷処理の他の例についてのみ説明する。
【０２１５】
図５０は、印刷設定を行う際に電子黒板画面１４００上に表示される印刷ダイアログボックス３５００を示す説明図である。実施の形態４の印刷ダイアログボックス３５００における印刷色設定欄３５０６には、「文字以外の画像の濃度を低くして印刷」チェックボックス５０００が設けられている。このチェックボックス５０００は、実施の形態２で説明したような文字情報（例えば、文字認識処理した結果の認識文字等）を除くその他の画像データの濃度情報を全体のコントラストを保ちながら濃度が低くなるように変更して印刷するという設定を行うためのものである。
【０２１６】
以下に、図５１に示す電子黒板画面１４００上の画像（１画面分または１ページ分の画像）を例にとって、「文字以外の画像の濃度を低くして印刷」チェックボックス５０００がチェックされた場合の画像印刷処理（画像印刷方法）を図５２のフローチャートを参照しつつ説明する。
【０２１７】
図５１は、文字情報を含む電子黒板画面１４００（印刷対象）の一例を示している。図５１において、５１００は実施の形態１で説明したキャプチャ機能を利用して取り込み、電子黒板画面１４００の背景として表示されたキャプチャ画面を示している。このキャプチャ画面４７００は、他のアプリケーションプログラムで作成した棒グラフおよび数字を含んでいる。また、５１０１は、文字情報の一例としてタッチ入力装置１０２を介して入力した手書き文字を文字認識処理した認識文字であり、実施の形態２で説明した文字情報に該当する。
【０２１８】
ユーザは、図５１に示した電子黒板画面１４００分の画像データ（１ページ分の画像データ）を印刷するため、図５０に示した印刷ダイアログボックス３５００を開いて印刷色設定欄３５０６のチェックボックス５０００をチェックし、文字以外の画像データにおける濃度情報の変更を設定する（Ｓ５２０１）。
【０２１９】
ユーザが印刷ダイアログボックス３５００中のＯＫボタン３５０４をタッチすると、図３４に示した画像処理部３４０２は、印刷ダイアログボックス３５００を介して設定された設定情報（印刷条件）を印刷条件設定部３４０１から入力してチェックボックス５０００がチェックされたか確認する。チェックボックス５０００がチェックされている場合、画像処理部３４０２は、電子黒板画面１４００分の画像データのうち、文字情報５１０１を除くその他の画像データの濃度情報を全体のコントラストを保ちながら濃度が低くなるように変更する（Ｓ５２０２）。
【０２２０】
画像処理部３４０２は、ステップＳ５２０２で濃度情報を変更した後、印刷要求と共に画像データを描画処理部３４０３に入力する。その結果、描画処理部３４０３およびプリンタドライバ３４０４で所定の処理が実行され、プリンタ１０６において濃度情報を変更した後の画像データが記録紙上に出力される（Ｓ５２０３）。
【０２２１】
図５３は、図５１に示した電子黒板画面１４００分の画像データが記録紙５３００に出力された様子を示す説明図である。図５３に示すように、画像処理部３４０２で文字情報５１０１を除くその他の画像データの濃度情報を全体のコントラストを保ちながら濃度が低くなるように変更する処理が行われた結果、キャプチャ画面５１００の画像の濃度が図５１に示した電子黒板画面１４００の場合の濃度に比べて低くなっている。一方、文字情報５１０１については、濃度を変更する処理が行われていないため、そのままの濃度で印刷されている。
【０２２２】
ただし、図５３に示したようにキャプチャ画像５１００の濃度が低くされて印刷されるため、文字情報５１０１ではないキャプチャ画像５１００中の文字や数字についても濃度も低くされて印刷されることになり、文字情報５１０１以外の文字は見にくいものとなってしまう虞がある。そこで、画像処理部３４０２が濃度情報の変更を行う際、画像データに基づいて文字情報５１０１以外の文字を抽出する処理を行い、抽出した文字に該当する画像データについては濃度を低くする処理を行わないようにすることが好ましい。
【０２２３】
このように、実施の形態４に係る電子黒板システムによれば、文字情報５１０１を除くその他の画像データの濃度情報を全体のコントラストを保ちながら濃度が低くなるように変更し、濃度情報を変更した画像データに基づいて印刷を行うため、プリンタのトナーやインク等の消費量を効果的に低減することができる。換言すれば、プリンタのトナーやインク等の消費量の効果的な低減を図りつつも、文字情報５１０１は確実に判読可能で、画像データの全体のイメージを損なわない印刷処理が可能となる。
【０２２４】
なお、チェックボックス５０００をチェックした状態で複数ページの印刷が指定された場合、各ページ毎に図５２のステップＳ５２０２およびＳ５２０３の処理が実行され、各ページ毎にトナーやインク等の消費量を低減するための処理が実行されることになる。
【０２２５】
〔実施の形態５〕
つぎに、実施の形態５に係る電子黒板システムについて説明する。なお、ここでは実施の形態２〜４と同様に、プリンタのトナーやインク等の消費量を効果的に低減するための画像印刷処理の他の例についてのみ説明する。
【０２２６】
図５４は、印刷設定を行う際に電子黒板画面１４００上に表示される印刷ダイアログボックス３５００を示す説明図である。実施の形態５の印刷ダイアログボックス３５００における印刷色設定欄３５０６には、「上書き画像以外の画像の濃度を低くして印刷」チェックボックス５４００が設けられている。このチェックボックス５４００は、タッチ入力装置１０２を介して入力した上書き画像に相当する画像データを除くその他の画像データの濃度情報を全体のコントラストを保ちながら濃度が低くなるように変更して印刷するという設定を行うためのものである。なお、タッチ入力装置１０２を介して入力した上書き画像には、実施の形態１で説明したように、ペンツールを用いて書かれた手書き文字および図形，ならびに図形描画ツールを用いて描画した図形が含まれる。
【０２２７】
以下に、図５５に示す電子黒板画面１４００上の画像（１画面分または１ページ分の画像）を例にとって、「上書き画像以外の画像の濃度を低くして印刷」チェックボックス５４００がチェックされた場合の画像印刷処理（画像印刷方法）を図５６のフローチャートを参照しつつ説明する。
【０２２８】
図５５は、上書き画像を含む電子黒板画面１４００（印刷対象）の一例を示している。図５５において、５５００は実施の形態１で説明したキャプチャ機能を利用して取り込み、電子黒板画面１４００の背景として表示されたキャプチャ画面を示している。このキャプチャ画面５５００は、他のアプリケーションプログラムで作成した棒グラフ，文字および数字を含んでいる。また、５５０１は、タッチ入力装置１０２を介して入力した上書き画像（図５５中の手書き文字や手書き図形）５５０１を示している。
【０２２９】
ユーザは、図５５に示した電子黒板画面１４００分の画像データ（１ページ分の画像データ）を印刷するため、図５４に示した印刷ダイアログボックス３５００を開いて印刷色設定欄３５０６のチェックボックス５４００をチェックし、上書き画像以外の画像データにおける濃度情報の変更を設定する（Ｓ５６０１）。
【０２３０】
ユーザが印刷ダイアログボックス３５００中のＯＫボタン３５０４をタッチすると、図３４に示した画像処理部３４０２は、印刷ダイアログボックス３５００を介して設定された設定情報（印刷条件）を印刷条件設定部３４０１から入力し、チェックボックス５４００がチェックされているか確認する。チェックボックス５４００がチェックされている場合、画像処理部３４０２は、電子黒板画面１４００分の画像データのうち、上書き画像５５０１に相当する画像データを除くその他の画像データの濃度情報を全体のコントラストを保ちながら濃度が低くなるように変更する（Ｓ５６０２）。
【０２３１】
画像処理部３４０２は、ステップＳ５６０２で濃度情報を変更した後、印刷要求と共に画像データを描画処理部３４０３に入力する。その結果、描画処理部３４０３およびプリンタドライバ３４０４で所定の処理が実行され、プリンタ１０６において濃度情報を変更した後の画像データが記録紙上に出力される（Ｓ５６０３）。
【０２３２】
図５７は、図５５に示した電子黒板画面１４００分の画像データが記録紙５７００に出力された様子を示す説明図である。図５７に示すように、画像処理部３４０２で上書き画像５５０１に相当する画像データを除くその他の画像データの濃度情報を全体のコントラストを保ちながら濃度が低くなるように変更する処理が行われた結果、キャプチャ画面５５００の画像の濃度が図５５に示した電子黒板画面１４００の場合の濃度に比べて低くなっている。一方、上書き画像５５０１については、濃度を変更する処理が行われていないため、そのままの濃度で印刷されている。
【０２３３】
ただし、図５７に示したようにキャプチャ画像５１００の濃度が低くされて印刷されるため、キャプチャ画像５５００中の文字や数字についても濃度も低くされて印刷されることになり、これらの文字や数字は見にくいものとなってしまう虞がある。そこで、画像処理部３４０２が濃度情報の変更を行う際、画像データに基づいて上記の文字や数字を抽出する処理を行い、抽出した文字に該当する画像データについてはたとえ上書き画像ではなくても濃度を低くする処理を行わないようにすることが好ましい。
【０２３４】
このように、実施の形態５に係る電子黒板システムによれば、タッチ入力装置１０２を介して入力した上書き画像５５０１に相当する画像データを除くその他の画像データの濃度情報を全体のコントラストを保ちながら濃度が低くなるように変更し、濃度情報を変更した画像データに基づいて印刷を行うため、プリンタのトナーやインク等の消費量を効果的に低減することができる。換言すれば、プリンタのトナーやインク等の消費量の効果的な低減を図りつつも、上書き画像５５０１は確実に判読可能で、画像データの全体のイメージを損なわない印刷処理が可能となる。
【０２３５】
なお、チェックボックス５４００をチェックした状態で複数ページの印刷が指定された場合は、各ページ毎に図５６のステップＳ５６０２およびＳ５６０３の処理が実行され、各ページ毎にトナーやインク等の消費量を低減するための処理が実行されることになる。
【０２３６】
さらに、上書き画像５５０１と実施の形態４で説明した文字情報５１０１とが同一の電子黒板画面１４００上に存在する場合もあることを考慮して、一つのチェックボックスで実施の形態４および５で説明した両方の画像印刷処理を併せて実行できるようにしても良い。
【０２３７】
以上説明した実施の形態１〜５における各画像印刷処理（画像印刷方法）は、予め用意されたプログラムをコンピュータ１０４で実行することによって実現される。このプログラムは、ハードディスク，フロッピーディスク，ＣＤ−ＲＯＭ，ＭＯ，ＤＶＤ等のコンピュータで読み取り可能な記録媒体に記録され、コンピュータ１０４によって記録媒体から読み出されることによって実行される。また、このプログラムは、上記記録媒体を介して、またはネットワークを介して配布することができる。
【０２３８】
また、実施の形態１〜５において、それぞれ異なる画像処理処理（画像印刷方法）を説明したが、同一の印刷ダイアログボックス３５００から実施の形態１〜５で説明した画像印刷処理の実行を設定できるようにし、任意に組み合わせて実行することも可能である。
【０２３９】
さらに、実施の形態１〜５においては、本発明に係る画像処理方法を電子黒板システムに適用した場合を中心にして説明したが、本発明に係る画像処理方法は電子黒板システム以外にも適用可能であることは当業者にとって明らかであろう。
【０２４０】
【発明の効果】
以上説明したように、本発明の画像処理方法（請求項１）、画像処理装置（請求項３）および電子黒板システム（請求項４）は、出力対象となる画像データのうち、同一の色情報で塗り潰す最大画像領域の色情報を、印刷時に着色せずに記録紙の地色として出力される色情報に変更することで、印刷時には最大画像領域が着色されずに印刷するため、トナーやインク等の消費量の低減を効率的に行うことができる。
【０２４４】
また、本発明の画像処理方法（請求項２）は、変更工程で変更した画像データを記録紙に印刷するので、トナーやインク等の消費量の低減を効率的に行うことができる。
【０２４６】
また、本発明の電子黒板システム（請求項５）は、画像印刷時に特定の画像データの濃度情報を変更することを設定すると、出力対象となる画像データの画像領域から、タッチ入力装置を介して入力した上書き画像に相当する画像データを除いた画像領域について、全体のコントラストを保ちながら濃度が低く変更し、上書き画像に相当する画像データを除いた画像領域の濃度が低く変更された前記画像データを、記録紙に印刷するため、トナーやインク等の消費量の低減を効率的に行うことができる。また、上書き画像は確実に判読可能とし、かつ、画像データの全体のイメージを損なうことなく、トナーやインク等の消費量の低減を効率的に行うことができる。
【図面の簡単な説明】
【図１】  本発明の実施の形態１に係る電子黒板システムのブロック構成図である。
【図２】  本発明の実施の形態１に係る電子黒板システムを構成するタッチ入力装置の構成図である。
【図３】  本発明の実施の形態１に係る電子黒板システムにおいて、ＰＤＰとタッチ入力装置の基板との間に設けられたシールドテープを説明する説明図である。
【図４】  本発明の実施の形態１に係る電子黒板システムにおいて、タッチ位置の座標を特定する処理を説明するための説明図である。
【図５】  本発明の実施の形態１に係る電子黒板システムを構成するコンピュータ（パーソナルコンピュータ）のブロック構成図である。
【図６】  本発明の実施の形態１に係る電子黒板システムを収納した筐体ユニットを前方側から見た斜視図である。
【図７】  本発明の実施の形態１に係る電子黒板システムを収納した筐体ユニットを後方側から見た斜視図である。
【図８】  本発明の実施の形態１に係る筐体ユニットを右側面から見た側面図である。
【図９】  本発明の実施の形態１に係る角度調整機構部を筐体ユニットの上方から見た場合の構成図である（ボード部の角度は５度）。
【図１０】  本発明の実施の形態１に係る角度調整機構部を筐体ユニットの上方から見た場合の構成図である（ボード部の角度は０度）。
【図１１】  本発明の実施の形態１に係る角度調整機構部を筐体ユニットの側面から見た場合の構成図である。
【図１２】  本発明の実施の形態１に係る角度調整機構部の変形例を示す構成図である。
【図１３】  本発明の実施の形態１に係る角度調整機構部の変形例を示す構成図である。
【図１４】  本発明の実施の形態１に係る電子黒板システムにおいて、ＰＤＰに表示される電子黒板画面およびツールバーの一例を示す説明図である。
【図１５】  本発明の実施の形態１に係る電子黒板システムにおいて、ＰＤＰに表示される拡張ツールバーの一例を示す説明図である。
【図１６】  本発明の実施の形態１に係る電子黒板システムにおいて、拡張ツールバーと共にＰＤＰに表示される描画ツールバーの一例を示す説明図である。
【図１７】  本発明の実施の形態１に係る電子黒板システムにおいて、タッチ面上に手書きで文字や線を書いた結果がＰＤＰ上の電子黒板画面に表示された様子の一例を示す説明図である。
【図１８】  本発明の実施の形態１に係る電子黒板システムにおいて、電子黒板画面に表示された手書きの文字や線を消しゴムで消去する際の様子の一例を示す説明図である。
【図１９】  本発明の実施の形態１に係る電子黒板システムにおいて、電子黒板画面に表示された手書きの文字や線を枠で囲い、枠の中の文字や線を一度に消去する際の様子の一例を示す説明図である。
【図２０】  本発明の実施の形態１に係る電子黒板システムにおいて、電子黒板画面上に直線が描画された様子を示す説明図である。
【図２１】  本発明の実施の形態１に係る電子黒板システムにおいて、電子黒板画面上に四角形が描画された様子を示す説明図である。
【図２２】  本発明の実施の形態１に係る電子黒板システムにおいて、電子黒板画面の背景としてグリッド表示がされた様子を示す説明図である。
【図２３】  本発明の実施の形態１に係る電子黒板システムにおいて、電子黒板画面上に表が作成された様子を示す説明図である。
【図２４】  本発明の実施の形態１に係る電子黒板システムにおいて、電子黒板画面上に楕円が描画された様子を示す説明図である。
【図２５】  本発明の実施の形態１に係る電子黒板システムにおいて、（ａ）は変形対象の図形が選択された様子を示す説明図であり、（ｂ）は変形対象の図形が変形された様子を示す説明図である。
【図２６】  本発明の実施の形態１に係る電子黒板システムにおいて、（ａ）は移動対象の図形が選択された様子を示す説明図であり、（ｂ）は選択された図形が移動された様子を示す説明図である。
【図２７】  本発明の実施の形態１に係る電子黒板システムにおいて、描画された図形を編集する際に表示される編集メニューの一例を示す説明図である。
【図２８】  本発明の実施の形態１に係る電子黒板システムにおいて、作成済みのファイルを開く処理を説明するための説明図である。
【図２９】  本発明の実施の形態１に係る電子黒板システムにおいて、作成済みのファイルをサムネイル画像を用いて開く処理を説明するための説明図である。
【図３０】  本発明の実施の形態１に係る電子黒板システムにおいて、ＰＤＰに表示されるコンピュータ画面およびキャプチャツールバーの一例を示す説明図である。
【図３１】  本発明の実施の形態１に係る電子黒板システムにおいて、キャプチャしたアプリケーションプログラムの画面を電子黒板画面の背景として表示した様子の一例を示す説明図である。
【図３２】  本発明の実施の形態１に係る電子黒板システムにおいて、キャプチャしたアプリケーションプログラムの画面を電子黒板画面の背景として表示し、その上に文字等を書きこんだ様子の一例を示す説明図である。
【図３３】  本発明の実施の形態１に係る電子黒板システムにおいて、作成中のページを一覧表示するサムネイル表示ダイアログボックスを表示した様子を示す説明図である。
【図３４】  本発明の実施の形態１に係る電子黒板システムにおける印刷処理部のブロック構成図である。
【図３５】  本発明の実施の形態１に係る電子黒板システムにおいて、印刷ダイアログボックスを表示した様子を示す説明図である。
【図３６】  本発明の実施の形態１に係る電子黒板システムにおいて、印刷対象の一例を説明するための説明図である。
【図３７】  本発明の実施の形態１に係る電子黒板システムにおいて、「最大画像領域の色を白で印刷」チェックボックスがチェックされた場合の画像印刷処理を示すフローチャートである。
【図３８】  図３７に示す画像印刷処理で印刷を行った結果の一例を示す説明図である。
【図３９】  本発明の実施の形態１に係る電子黒板システムにおいて、「最大画像領域の色を白で印刷」チェックボックスがチェックされた場合の画像印刷処理結果の一例を示す説明図である。
【図４０】  本発明の実施の形態１に係る電子黒板システムにおいて、タッチ入力装置の設定画面の一例を示す説明図である。
【図４１】  本発明の実施の形態１に係る電子黒板システムのネットワーク接続を説明する説明図である。
【図４２】  本発明の実施の形態２に係る電子黒板システムにおいて、印刷ダイアログボックスを表示した様子を示す説明図である。
【図４３】  本発明の実施の形態２に係る電子黒板システムにおいて、印刷対象の一例を説明するための説明図である。
【図４４】  本発明の実施の形態２に係る電子黒板システムにおいて、「文字の色を１色にし、文字・輪郭線以外の画像を白で印刷」チェックボックスがチェックされた場合の画像印刷処理を示すフローチャートである。
【図４５】  図４４に示す画像印刷処理で印刷を行った結果の一例を示す説明図である。
【図４６】  本発明の実施の形態３に係る電子黒板システムにおいて、印刷ダイアログボックスを表示した様子を示す説明図である。
【図４７】  本発明の実施の形態３に係る電子黒板システムにおいて、印刷対象の一例を説明するための説明図である。
【図４８】  本発明の実施の形態３に係る電子黒板システムにおいて、「上書き画像の色を１色にし、文字・輪郭線以外の画像を白で印刷」チェックボックスがチェックされた場合の画像印刷処理を示すフローチャートである。
【図４９】  図４８に示す画像印刷処理で印刷を行った結果の一例を示す説明図である。
【図５０】  本発明の実施の形態４に係る電子黒板システムにおいて、印刷ダイアログボックスを表示した様子を示す説明図である。
【図５１】  本発明の実施の形態４に係る電子黒板システムにおいて、印刷対象の一例を説明するための説明図である。
【図５２】  本発明の実施の形態４に係る電子黒板システムにおいて、「文字以外の画像の濃度を低くして印刷」チェックボックスがチェックされた場合の画像印刷処理を示すフローチャートである。
【図５３】  図５２に示す画像印刷処理で印刷を行った結果の一例を示す説明図である。
【図５４】  本発明の実施の形態５に係る電子黒板システムにおいて、印刷ダイアログボックスを表示した様子を示す説明図である。
【図５５】  本発明の実施の形態５に係る電子黒板システムにおいて、印刷対象の一例を説明するための説明図である。
【図５６】  本発明の実施の形態５に係る電子黒板システムにおいて、「上書き以外の画像の濃度を低くして印刷」チェックボックスがチェックされた場合の画像印刷処理を示すフローチャートである。
【図５７】  図５６に示す画像印刷処理で印刷を行った結果の一例を示す説明図である。
【符号の説明】
１００      電子黒板システム
１０１      プラズマディスプレイパネル（ＰＤＰ）
１０２      タッチ入力装置
１０３      タッチ入力装置用コントローラ
１０４      コンピュータ
１０５      スキャナ
１０６      プリンタ
１０７      ネットワーク
１０８      ビデオプレイヤー
２００      基板
２０１      タッチ面（書き込み面）
２０２，２０６      発信用トランスデューサ
２０３，２０７      受信用トランスデューサ
２０４，２０５，２０８，２０９      反射アレイ
２１０      ケーブル
３００      シールドテープ
５０６      電子黒板ソフト
５０７      タッチパネルドライバ
６００      筐体ユニット
６０１      パネル部
６０２      コントローラ収納部
６０３      スタンド
６０４      機器収納部
６１２      コンピュータ収納部
６１３      ビデオ収納部
６１４      プリンタ収納部
６１５      キーボード台
８０２      角度調整機構部
３４００    印刷処理部
３４０１    印刷条件設定部
３４０２    画像処理部
３４０３    描画処理部
３４０４    プリンタドライバ
３５００    印刷ダイアログボックス
３５０６    印刷色設定欄
【図１】
0003910737.tif 000002
【図２】
0003910737.tif 000003
【図３】
0003910737.tif 000004
【図４】
0003910737.tif 000005
【図５】
0003910737.tif 000006
【図６】
0003910737.tif 000007
【図７】
0003910737.tif 000008
【図８】
0003910737.tif 000009
【図９】
0003910737.tif 000010
【図１０】
0003910737.tif 000011
【図１１】
0003910737.tif 000012
【図１２】
0003910737.tif 000013
【図１３】
0003910737.tif 000014
【図１４】
0003910737.tif 000015
【図１５】
0003910737.tif 000016
【図１６】
0003910737.tif 000017
【図１７】
0003910737.tif 000018
【図１８】
0003910737.tif 000019
【図１９】
0003910737.tif 000020
【図２０】
0003910737.tif 000021
【図２１】
0003910737.tif 000022
【図２２】
0003910737.tif 000023
【図２３】
0003910737.tif 000024
【図２４】
0003910737.tif 000025
【図２５】
0003910737.tif 000026
【図２６】
0003910737.tif 000027
【図２７】
0003910737.tif 000028
【図２８】
0003910737.tif 000029
【図２９】
0003910737.tif 000030
【図３０】
0003910737.tif 000031
【図３１】
0003910737.tif 000032
【図３２】
0003910737.tif 000033
【図３３】
0003910737.tif 000034
【図３４】
0003910737.tif 000035
【図３５】
0003910737.tif 000036
【図３６】
0003910737.tif 000037
【図３７】
0003910737.tif 000038
【図３８】
0003910737.tif 000039
【図３９】
0003910737.tif 000040
【図４０】
0003910737.tif 000041
【図４１】
0003910737.tif 000042
【図４２】
0003910737.tif 000043
【図４３】
0003910737.tif 000044
【図４４】
0003910737.tif 000045
【図４５】
0003910737.tif 000046
【図４６】
0003910737.tif 000047
【図４７】
0003910737.tif 000048
【図４８】
0003910737.tif 000049
【図４９】
0003910737.tif 000050
【図５０】
0003910737.tif 000051
【図５１】
0003910737.tif 000052
【図５２】
0003910737.tif 000053
【図５３】
0003910737.tif 000054
【図５４】
0003910737.tif 000055
【図５５】
0003910737.tif 000056
【図５６】
0003910737.tif 000057
【図５７】
0003910737.tif 000058